(57)【要約】本発明によれば、衣類（１）は２つの脚片（３、５）及び１つの本体を備えて生産され、本体（７）は、生地の二枚のサイドポケット（１７、１９）と、二枚のサイドポケットの間に中央部（１５）とを備えている。本体は、多数の糸のフィードによって生産される。さらに、ニードルシリンダの往復運動によってポケットが形成され、連続運動で中央部が形成される。【選択図】図１
2016540132.tif 000002
【特許請求の範囲】
【請求項１】
少なくとも１つの円形の針床を備えた丸編機で２つの脚片及び本体を備えたニット製品を生産するための方法において、
−  複数のフィードによって第一の脚片を連続運動で編成するステップ、    
−  第一の脚片の端列から開始して、複数のフィードによって第一の生地ポケットを往復運動で編み、前記第一の生地ポケットが第一の本体サイド部を形成するステップ、
−  本体の中央部から開始して第二の脚片の開始列に至るまで、複数のフィードによって第二の生地ポケットを往復運動で編み、前記第二のポケットが第二の本体サイド部を形成するステップ、
−  複数のフィードによって第二の脚片を連続運動で編成するステップ、
を備えることを特徴とする方法。
【請求項２】
さらに、
−  円形の針床の周囲に複数のフィードを配置するステップ、ここで各フィードは、それぞれの糸を円形の針床に給糸するためのフィード、針を上げるためのカム、針を下げるためのカムを備え、  
−  円形の針床が時計回りに回転している間に針を選択するために操作された第一のセレクタをまた円形の針床が反時計回りに回転している間に針を選択するために操作される第二のセレクタを各フィードに関連付けるステップ、
−  第一及び第二の生地ポケットを往復運動で編みながら、円形の針床の回転方向に応じて、第一のセレクタまたは第二のセレクタを選択的に始動させるステップ、
を備えることを特徴とする請求項１に記載の方法。
【請求項３】
針を部分的に下降させるための補助カムを各フィードに関連付けるステップを含み、かかるステップが、第一及び第二の生地ポケットを往復運動で編成する間、補助カムが作動中である一方で、連続動作で編成する間は非作動状態であることを特徴とする請求項２に記載の方法。
【請求項４】
前記針が、ジャックの選択に作用するセレクタを用いることによって選択され、１つのジャックの選択が針のそれぞれに関連付けられていることを特徴とする請求項２または３に記載の方法。
【請求項５】
第一の生地ポケットが往復運動で編成された後、第二の生地ポケットが往復運動で編成される前に、２つのポケットの間にある本体の中央部が複数のフィードで連続運動で編成され形成されることを特徴とする請求項１から４の何れか一項に記載の方法。
【請求項６】
第一の生地ポケット、第二の生地ポケット、第一の脚片、第二の脚片、そして本体の中央部が、同じ数のフィードで編成されることを特徴とする請求項５に記載の方法。
【請求項７】
第一の生地ポケット、第二の生地ポケット、本体の中央部、第一の脚片、そして第二の脚片が、偶数のフィードで編成されることを特徴とする請求項５または６に記載の方法。
【請求項８】
第一の生地ポケット、第二の生地ポケット、本体の中央部、第一の脚片、そして第二の脚片が、少なくとも２つのフィードによって、また好ましくは少なくとも４つのフィードによって編成されることを特徴とする請求項５、６または７に記載の方法。
【請求項９】
少なくとも１本のＺ撚糸および少なくとも１本のＳ撚糸が、第一の生地ポケット、第二の生地ポケット、第一の脚片、第二の脚片、そして本体の中央部を形成するために使用されることを特徴とする請求項８に記載の方法。
【請求項１０】
本体の中央部が、複数のステッチの完成列を備える筒状構造を有することを特徴とする請求項５から９の何れか一項に記載の方法。
【請求項１１】
連続運動で本体の中央部を編成するステップが、円形の針床全体を使用して実行され、生地の筒部を編成する一方で、第一及び第二の生地ポケットを編成するステップが、円形の針床の作動中のア−クで減数した針を使用して実行され、補完的な針のア−クは休止状態であることを特徴とする請求項５から１０の何れか一項に記載の方法。
【請求項１２】
第一の生地ポケットを往復運動で編成するステップが、
−  第一の脚片から開始して、徐々に動作針の数を減らし、よって徐々に長さを減少させながら部分的な列を形成し、部分的な列の最小の長さの集団に至るまで、往復運動で部分的な列の第一のシーケンスを編成するステップ、
−  部分的な列の最小の長さの集団から開始して、徐々に動作針の数を増やし、よって徐々に長さを増やしながら部分的な列を形成し、往復運動で部分的な列の第二のシーケンスを編成するステップ、を備え、
また、円形の針床が一方向で回転する度にまた円形の針床が反対方向で回転する度に、複数の列がフィードの数に対応する数で形成される、ことを特徴とする請求項１から１１の何れか一項に記載の方法。
【請求項１３】
往復運動で第二の生地ポケットを編成するステップが、
−  本体中央部から開始して、徐々に動作針の数を減らして、よって徐々に長さを減らしながら部分的な列を形成し、部分的な列の最小の長さの集団に至るまで、往復運動で部分的な列の第三のシーケンスを編成するステップ、
−  部分的な列の最小の長さの集団から開始して、徐々に動作針の数を増やし、よって徐々に長さを増やしながら部分的な列を形成し、往復運動で部分的な列の第四のシーケンスを編成するステップ、
を備え、
また、円形の針床が一方向で回転する度にまた円形の針床が反対方向で回転する度に、複数の列がフィードの数に対応する数で形成される、ことを特徴とする請求項１から１２の何れか一項に記載の方法。
【請求項１４】
往復運動中すべてのフィードの糸が、針床の一方向または反対方向の回転でステッチの同じ数を形成しているので、第一及び第二の生地ポケットの形成中の各往復動回転で、部分的な列が、同じ長さで且つ円形の針床の往復ストロークの各々の間のフィードの数に等しい数で形成されることを特徴とする請求項１２または１３に記載の方法。
【請求項１５】
部分的な列の第一のシーケンス及び／又は部分的な列の第三のシーケンスの編成中、列の長さは列の両端で逓減することを特徴とする請求項１４に記載の方法。
【請求項１６】
部分的な列の第二のシーケンス及び／又は部分的な列の第四のシーケンスの編成中、列の長さは列の両端で漸増することを特徴とする請求項１４または１５に記載の方法。
【請求項１７】
往復運動で第一及び第二の生地ポケットの形成中、一方向の針床の回転で形成される複数の部分的な列及び反対方向の針床の回転で形成されるそれに続く複数の部分的な列が、ステッチの数で相互にシフトされることを特徴とする請求項１２から１６の何れか一項に記載の方法。
【請求項１８】
上記部分的な列が、２から１５の間に含まれるステッチの数で、好ましくは３から１０の間で、より好ましくは３から７の間のステッチの数で、相互に対してシフトされることを特徴とする請求項１７に記載の方法。
【請求項１９】
本体の編成中に本体に１つの開口部を生成するステップをさらに備えていることを特徴とする請求項１から１８の何れか一項に記載の方法。
【請求項２０】
本体の開口部が、開口線に沿って本体のステッチを形成する糸を溶融する加熱要素によって形成されることを特徴とする請求項１９に記載の方法。
【請求項２１】
脚片の端部を閉じるステップを備えることを特徴とする請求項１から２０の何れか一項に記載の方法。
【請求項２２】
往復運動で第一及び第二の生地ポケットを編成するステップ中、針を制御することによって、徐々に増減する長さを備えた列が形成されるので、全ての作動針がアンロードされることを特徴とする請求項１から２１の何れか一項に記載の方法。
【請求項２３】
第一及び第二の生地ポケットを編成中、非連続的な列のうちの少なくとも一対のターミナルステッチが、ステッチの１つのカラムに配置され、非連続的な列のうちの少なくとも別の一対のターミナルステッチが配置されるステッチの１つのカラムに対してシフトされるように、対の糸のそれぞれで形成された対の列が相互に対してシフトされることを特徴とする請求項１２または１３に記載の方法。
【請求項２４】
１つの本体及び２つの筒状の脚片を備えるニット製品において、本体が編地の２つのサイドポケットを備え、各ポケットが２つの筒状の脚片を形成する編地の拡張を構成する部分的な列の第一のシリーズで形成され、前記部分的な列の第一のシリーズの列がそれぞれの脚片から開始してそれぞれのポケットの最小の長さの部分的な列のグループまで長さを減らし、且つ部分的な列の第二のシリーズで最小の長さの部分的な列のグループのそれぞれから開始して完成列のそれぞれまで長さを増やし、
そこで、前記生地ポケットが往復運動による複数のフィードで形成されることを特徴とする衣類。
【請求項２５】
本体がさらに２つの生地ポケットの間に、連続運動による複数のフィードで形成される中央部を備えることを特徴とする請求項２４に記載の衣類。
【請求項２６】
生地の各ポケットが、少なくとも２つのフィードで、好ましくは少なくとも４つのフィードで形成されることを特徴とする請求項２４または２５に記載の衣類。
【請求項２７】
２つの脚片が、連続運動による複数のフィードで形成される筒状の生地を備えることを特徴とする請求項２４、２５または２６に記載の衣類。
【請求項２８】
生地のポケット、脚片、そして本体の中央部がすべて等しいフィードの数で形成されることを特徴とする請求項２４から２７の何れか一項に記載の衣類。
【請求項２９】
複数のフィードで形成され且つ各往復編成動作に対応する部分的な列が、相互対してシフトされるので、結果として、部分列の両端が２から１５の間に含まれるステッチの数で、好ましくは３から１０の間で、より好ましくは３から７の間で、相互に離間されることを特徴とする請求項２４から２８の何れか一項に記載の衣類。
【請求項３０】
部分的な列が、部分的な列のグループに細分化され、それぞれが編成に使用されるフィードの数に等しい列数を構成し、そこで、部分的な列の各グループの部分的な列が、同じ長さすなわち同じ数のステッチを有することを特徴とする請求項２４から２９の何れか一項に記載の衣類。
【請求項３１】
本体の生地ポケットを形成するすべてのステッチが、アンロードされたステッチであることを特徴とする請求項２４から３０の何れか一項に記載の衣類。
【請求項３２】
Ｓ撚糸及びＺ撚糸で形成された列を備えることを特徴とする請求項２４から３１の何れか一項に記載の衣類。
【請求項３３】
円形の針床を備えたニードルシリンダ、カムマントル、セレクタ、複数のフィード及び制御装置を備える編機において、前記制御装置が、請求項１から２３の何れか一項に記載の編成方法を実現するプログラムを実行することを特徴とする編機。
【請求項３４】
編機が、
−  円形の針床を備えたニードルシリンダと、
−  円形の針床を周囲する複数のフィードと、を備え、各フィードが円形の針床にそれぞれの糸を給糸する供給部、針を持上げるカム、針を降下させるカムを備え、
−  さらに、各フィードに関連付けられ、ニードルシリンダが時計回りに回転する間、円形の針床の針を選択するよう構成されまた制御された第一のセレクタと、ニードルシリンダが反時計回りに回転する間、円形の針床の針を選択するよう構成されまた制御された第二のセレクタとを備える、ことを特徴とする編機。
【請求項３５】
補助カムが、針を降下させるために各フィードに関連付けされ、ニードルシリンダの往復運動中に作動するよう構成されまた制御されることを特徴とする請求項３４に記載の編機。
【請求項３６】
針床の各針が、一本の選択されたジャックに関連付けられ、前記第一及び第二のセレクタがジャックに選択的に作用することを特徴とする請求項３４または３５に記載の編機。
【発明の詳細な説明】
【技術分野】
【０００１】
本発明は、例えば、パンティーストッキングやタイツなど２本の脚片と１つの本体を備えた製品または衣類を生産するための方法の改善に関するものである。特に、本発明は、シングルまたはダブルの針床を備える丸編機で、シングル編み工程を使用して上記種類のシームレスの衣類を生産するための方法に関する。
【背景技術】
【０００２】
タイツ、パンティーストッキングなどのニット製品の生産分野では、シングル編み工程の丸編機で編まれるシームレスの連続した製品または衣類を得るために、編み工程を自動化するための新しい方法及びシステムが継続して研究されてきた。
【０００３】
幾つかの研究は、１９６０年代に開発された工程に基づいており、かかる工程は、製品の本体及び２本の脚片に加えて形成される３つの後続する筒状部またはセクションを第一の脚片の端部から開始して第二の脚片の端部に至るまでを、丸編機でシングル編み工程中に編まれる筒状製品のために提供されている。丸編機からアンロードされた筒状製品は、開口部を形成するために中央領域で裁断され、その開口部の周囲に本体のウエスト部を形成するために弾性縁が縫い付けられる。この公知の工程は、ドイツ国特許第１２３５３６１号に詳述されている。そのフィット感を増加させるために、本体はより広いステッチ（編み目）で編まれるので、筒状製品または衣類の中央部には脚片のセクションよりわずかに大きなセクションを有する。
【０００４】
ドイツ国特許第１２３５３６１号に記載された方法は、連続的な動作を備えた丸編機で実行することができ、非常に高速である。しかしながら、この方法によって生産された製品は、出来栄えの品質が低く、本体が筒状の脚部のように一列当たり同数のステッチを備えた筒状生地で形成されるので、十分密接にフィットしなかった。より具体的には、本体の高さがあまりにも制限され、弾性縁が股ラインに近過ぎていた。
【０００５】
このような制限及び欠点を克服しようと、この方法に対する多くの改良が研究されてきました。
【０００６】
米国特許第２９６２８８４号は、丸編機で、第一の脚片を編んだ後と第二の脚片を編成する前に、徐々に列を減少させその後長さを増加させる往復運動で編成することによって２つの生地ポケットを生産する方法を開示している。往復運動で編まれた２つのポケットは、衣類の本体を形成する。このように作られた本体は、元々ドイツ国特許第１２３５３６１号に記載の方法で生産された本体よりも、フィットする。
【０００７】
しかしながら、米国特許第２９６２８８４号で開示された方法は、衣類の殆ど、特に本体の全体をたった１台のフィードによる往復運動で編まれる、すなわちニードルシリンダに１本の糸を給糸してニードルシリンダの回転毎に１列のステッチを形成するだけなので、特に遅い。このような不都合にも関わらず、今でもシ−ムレスタイツはこの方法を使用して生産されている。特に、オーストリアのウルフォード社のシームレスタイツは、この方法に、脚片を編成する連続運動と本体を編成する往復運動とを組み合わせて生産されている。
【０００８】
米国特許第４０２２０３５号は、米国特許第２９６２８８４号の工程に類似した技術を備えた丸編機で、シングル編み工程でタイツを生産する方法を開示している。このさらなる実施形態では、往復運動で本体中央部を編成する間に丸編機で直接衣類の開口部を形成するように、針は正確に選択されている。またこの工程は、ほとんどをニードルシリンダの往復運動で形成するため、特に遅い。
【０００９】
従って、丸編機でシングル編み工程を使用して、本体及び２つの脚片を有するパンティーストッキング、タイツ及び類似の製品または衣類を編成する方法を改善する必要性があり、本発明によれば、従来から使用されている公知の方法の欠点を克服または低減する方法を提供する。
【発明の概要】
【００１０】
より効率的でより速い工程を用いて１つの本体及び２つの脚片を備えた製品または衣類を生産するために、次のステップからなる方法が提供される。
−  複数のフィードによって第一の脚片を連続運動で編成するステップ、
−  第一の脚片の端列から開始して、複数のフィードによって第一の生地ポケットを往復運動で編み、前記第一の生地ポケットが第一の本体サイド部を形成するステップ、
−  好ましくは、複数のフィードによって本体の中央部を連続運動で編成するステップ、
−  本体の中央部から開始して第二の脚片の開始列に至るまで、複数のフィードによって第二の生地ポケットを往復運動で編み、前記第二のポケットが第二の本体サイド部を形成するステップ、及び、
−  複数のフィードによって第二の脚片を連続運動で編成するステップ。
【００１１】
複数のフィードで本体の全体を編成することによって、高い生産速度を達成することができる。２つの生地サイドポケットの形成は、衣類を心地よいフィットに改善する。特に、サイドポケットの形成のためだけに往復運動を使用することは、着用する際に快適で規則的な生地を持つことができ、本体の中央部または中間部を編成するために連続運動を使用することによって、衣類を生産するのに必要な時間を減らすことができる。
【００１２】
幾つかの実施形態では、かかる方法は、さらに次のステップを備えている。
−  円形の針床の周囲に複数のフィードを配置するステップ、各フィードは、それぞれの糸を円形の針床に給糸するためのフィード、針を上げるためのカム、及び針を下げるためのカムを備え、
−  円形の針床が時計回りに回転している間に針を選択するために操作された第一のセレクタを、また円形の針床が反時計回りに回転している間に針を選択するために操作された第二のセレクタを、各フィードに関連付けるステップ、及び、
−  第一及び第二の生地ポケットを往復運動で編みながら、円形の針床の回転方向に応じて、第一のセレクタまたは第二のセレクタを選択的に作動させるステップ。
【００１３】
有利な実施形態では、衣類の異なる部分を編成するために使用されるフィードの数は、常に同じである。特に好ましくは、ステッチの様々な列の形成にＺ糸及びＳ糸が使用される際に、偶数のフィードを使用する利点がある。
【００１４】
幾つかの実施形態では、２つのフィードが使用される。しかしながら、好ましくは、フィードの数はより多く、例えばニードルシリンダの直径寸法が許容する限り４台または６台である。一般的にフィードの数が多くなれば、生産速度も速くなる。
【００１５】
幾つかの実施形態では、第一の生地ポケットを往復運動で編成するステップは、さらに次のステップを備えている。
−  第一の脚片から開始して、徐々に動作針の数を減らし、よって徐々に長さを減少させながら部分的な列を形成し、部分的な列の最小の長さのグループに至るまで、往復運動で部分的な列の第一のシーケンスを編成するステップ、及び、
−  部分的な列の最小の長さのグループから開始して、徐々に動作針の数を増やし、よって徐々に長さを増やしながら部分的な列を形成し、往復運動で部分的な列の第二のシーケンスを編成するステップ。
【００１６】
円形の針床が一方向で回転する度にまた円形の針床が反対方向で回転する度に、複数の列がフィードの数に対応する数で形成される。幾つかの実施形態では、一方向及び反対方向においてニードルシリンダのあらゆる角度ストロークで形成された列の集団は、厳密には必要ではない場合であっても、同じ長さを有することができる。
【００１７】
本明細書及び添付の特許請求の範囲において、ステッチの列の長さとは、ステッチの数として表わされる長さを一般的には意味している。従って、等しい長さの２つの列は、同数のステッチで形成される。
【００１８】
鏡に映したように、往復運動で第二の生地ポケットを編成するステップは、次のステップを備えている。
−  本体中央部から開始して、徐々に動作針の数を減らし、よって徐々に長さを減らしながら部分的な列を形成し、部分的な列の最小の長さの集団に至るまで、往復運動で部分的な列の第三のシーケンスを編成するステップ、及び、
−  部分的な列の最小の長さの集団から開始して、徐々に動作針の数を増やし、よって徐々に長さを増やしながら部分的な列を形成し、往復運動で部分的な列の第四のシーケンスを編成するステップ。
【００１９】
円形の針床が一方向で回転する度にまた円形の針床が反対方向で回転する度に、複数の列がフィードの数に対応する数で形成される。この場合においても、ニードルシリンダのあらゆる回転または角度ストロークで形成された列は、等しいかまたは異なる長さで有り得る。
【００２０】
生地のより美的な外観とより高い抗張力を達成するために、往復運動で第一及び第二の生地ポケットを編成すると同時に、一方向または反対方向において（すなわちニードルシリンダのすべての角度ストロークで）針床の回転を通じて形成された複数の部分的な列は、適切なステッチ（編み目）の数で相互にシフト（目移し）される。これによって、衣類を着用する際に生地の構造に優れたストレスの分散を可能にする。このように、ニードルシリンダ端部のすべての往復運動で形成されたすべての列が、同じポイントすなわち同じステッチのカラムで終了する場合に起こることに関わって、破れるリスクを減らす。実際に、往復運動で編まれた連続する部分的な列の端部をシフトすることによって、ステッチの２段のカラムに集中する代わりに、ステッチの複数段のカラムから成る生地の帯に沿ってこれらの端部を配置させる結果をもたらす。
【００２１】
幾つかの実施形態では、部分的な列は、２から５の間で、好ましくは３から１０の間、より好ましくは３から７の間から成るステッチの数で相互にシフトされる。幾つかの実施形態では、連続する部分的な列の端部のシフトが、減少列（つまり長さが減少する列）及び増加列（つまり長さが増加する列）を形成しながら両方を固定する。しかしながら、これは厳密には必要ではない。幾つかの実施形態によれば、生地ポケットを形成しながら連続した列がシフトされることによって、ステッチの数は連続した列で異なることができ、また生地ポケットの伸びに沿って変更することができる。例えば、第一の減少列を編みながらＮステッチでシフトすることができ、また次にＭステッチでシフトすることができ、ＭはＮとは異なる。
【００２２】
別の態様によれば、本発明は、１つの本体及び２つの筒状の脚片を備えるニット製品または衣類を提供する。ここで、本体は２枚の編み生地のサイドポケットから構成され、各ポケットが部分的な列の第一のシリーズによって形成され、２つの筒状の脚片を形成する編み生地の伸びを構成して、それぞれの脚片から開始してそれぞれのポケットの最小の長さの部分的な列の集団に至るまで、部分的な列の上記第一のシリーズの列が減少する長さを有し、そして部分的な列の第二のシリーズによって、最小の長さの部分的な列の集団のそれぞれから開始してそれぞれの完全な列に至るまで、増加する長さを有し、さらに前記生地ポケットが往復運動で複数のフィードで形成される。
【００２３】
ニードルシリンダの（往復または連続）動作は、完成品のステッチの列の所定の配列をもたらし、それはステッチが形成される軌道に一致する。連続運動で編まれた生地の部分では、連続的な螺旋状の線に従って列が配置され、また往復運動で編まれた生地の領域では、ジグザグの図柄に従って列が配置されている。従って、それを編成するために使用される動作の種類を指示することによって、衣類の生地の様々な領域の構造を定義することは生地を形成するステッチの列の配列を定義することに一致する。
【００２４】
有利には、２つの生地ポケットの間に配置され且つ複数のフィードを備えた連続運動で形成される中央部を、本体に備えている。
【００２５】
複数のフィードを備えて形成され且つ各往復編成動作に一致する部分的な列は、有利には、相互に関わってシフトされる。そうすることによって、部分的な列の端部は、１以上の、好ましくは２以上の、より好ましくは３以上のステッチで相互に一定間隔を置いて配置される。
【００２６】
別の態様によれば、本発明は、円形の針床を備えたニードルシリンダ、カムマントル及びセレクタ、複数の糸用フィード、そして制御装置を備える編機に関するものであり、上記制御装置は、上記のような編成方法を実現するプログラムを実行する。
【００２７】
本発明の特徴及び実施形態は、以下に説明されまた本明細書と一体に形成される添付の特許請求の範囲で定義されている。上記の簡単な説明は、以下の詳細な説明がより良く理解されまた当該技術分野への貢献がより良く認識され得るように、本発明の様々な実施形態の特徴を識別している。本発明のその他の特徴は、以下に詳細に説明されまた添付の特許請求の範囲で明らかになる。これに関連して、本発明の異なる実施形態を詳細に説明する前に、本発明の様々な実施形態は、それらの用途において、構造の詳細及び以下の説明に記載されまた図面に示された構成要素の配置を制限するものではないことを理解すべきである。本発明は、その他の実施形態において実現することができ、また様々な方法の使用で配置され且つ実現されてもよい。さらに、ここで使用される表現及び用語は、説明を目的とするものであって、制限と見做すものであってはならないことを理解する必要である。
【００２８】
従って、本発明の基礎となる概念は、本発明の様々な目的を実現する他の構造、他の方法及び／または他のシステムを設計するための基礎として速やかに使用され得ることが当業者には理解できる。なお、特許請求の範囲は本発明の精神及び範囲から逸脱することなく、それらの同等の構造を含むものとして考慮されることが重要である。
【図面の簡単な説明】
【００２９】
本発明は、以下の説明及び本発明の制限のない具体的な実施形態を示す添付の図面によって、より一層理解される。
【００３０】
【図１】ここに記載される方法で生産されたニット製品または衣類の一部を概略的に示す正面図。
【図２】図１の衣服の斜視図。
【図３】ここに記載される方法を使用して衣類を生産するための丸編機を概略的に示す縦断面。
【図４】本体の生地ポケットの部分的な列の領域を概略的に示す拡大図。
【図５Ａ】本体の生地ポケットの長さを減少させる列を編成するための方法のシーケンスを概略的に示す平面図。
【図５Ｂ】本体の生地ポケットの長さを減少させる列を編成するための方法のシーケンスを概略的に示す平面図。
【図５Ｃ】本体の生地ポケットの長さを減少させる列を編成するための方法のシーケンスを概略的に示す平面図。
【図５Ｄ】本体の生地ポケットの長さを減少させる列を編成するための方法のシーケンスを概略的に示す平面図。
【図５Ｅ】本体の生地ポケットの長さを減少させる列を編成するための方法のシーケンスを概略的に示す平面図。
【図５Ｆ】本体の生地ポケットの長さを減少させる列を編成するための方法のシーケンスを概略的に示す平面図。
【図５Ｇ】本体の生地ポケットの長さを減少させる列を編成するための方法のシーケンスを概略的に示す平面図。
【図５Ｈ】本体の生地ポケットの長さを減少させる列を編成するための方法のシーケンスを概略的に示す平面図。
【図５Ｉ】本体の生地ポケットの長さを減少させる列を編成するための方法のシーケンスを概略的に示す平面図。
【図５Ｊ】本体の生地ポケットの長さを減少させる列を編成するための方法のシーケンスを概略的に示す平面図。
【図５Ｋ】本体の生地ポケットの長さを減少させる列を編成するための方法のシーケンスを概略的に示す平面図。
【図５Ｌ】本体の生地ポケットの長さを減少させる列を編成するための方法のシーケンスを概略的に示す平面図。
【図５Ｍ】本体の生地ポケットの長さを減少させる列を編成するための方法のシーケンスを概略的に示す平面図。
【図６Ａ】本体の生地ポケットの領域にある部分的な列を増加させる形成のシーケンスを、図４と同様に概略的に示す拡大図。
【図６Ｂ】本体の生地ポケットの領域にある部分的な列を増加させる形成のシーケンスを、図４と同様に概略的に示す拡大図。
【図６Ｃ】本体の生地ポケットの領域にある部分的な列を増加させる形成のシーケンスを、図４と同様に概略的に示す拡大図。
【図６Ｄ】本体の生地ポケットの領域にある部分的な列を増加させる形成のシーケンスを、図４と同様に概略的に示す拡大図。
【図６Ｅ】本体の生地ポケットの領域にある部分的な列を増加させる形成のシーケンスを、図４と同様に概略的に示す拡大図。
【図６Ｆ】本体の生地ポケットの領域にある部分的な列を増加させる形成のシーケンスを、図４と同様に概略的に示す拡大図。
【図７】生地ポケットが形成される領域で、４つのフィードによって形成されるステッチの列の配置を概略的に示す拡大図。
【図８】別の実施形態の本体の生地ポケットの部分的な列の領域を、図４と同様に概要的に示す拡大図。
【図９】生地ポケットが図８の実施形態で形成される領域で、４つのフィードによって形成されるステッチの列の配置を、図７と同様に概略的に示す拡大図。
【図１０Ａ】反時計回り及び時計回りの回転方向で連続運動及び往復運動で編成する間のカムマントルの拡張及びセレクタ並びにそれらの動作を示す概略図。
【図１０Ｂ】反時計回り及び時計回りの回転方向で連続運動及び往復運動で編成する間のカムマントルの拡張及びセレクタ並びにそれらの動作を示す概略図。
【図１０Ｃ】反時計回り及び時計回りの回転方向で連続運動及び往復運動で編成する間のカムマントルの拡張及びセレクタ並びにそれらの動作を示す概略図。
【図１１】編成中、電気抵抗器によって本体に開口部を作るためのシステムを備えたニードルシリンダを示す縦断面。
【図１２】編成中、電気抵抗器によって本体に開口部を作るためのシステムを備えたニードルシリンダを示す縦断面。
【図１３】変形例で、本体を形成する生地ポケットの一方を編成するためのスキ−ムを示す概略図。
【図１４】図１３の部分ＸIVを示す詳細拡大図。
【図１５】図１３の部分ＸVを示す詳細拡大図。
【発明を実施するための形態】
【００３１】
例示的な実施形態の以下の詳細な説明は、添付図面を参照して説明される。異なる図面における同じ符号は、同じかまたは類似の要素を特定する。さらに図面は必ずしも縮尺どおりではない。以下の詳細な説明は本発明を制限するものではなく、本発明の保護の範囲は添付の特許請求の範囲によって定義されるものである。
【００３２】
説明において、「実施形態」または「かかる実施形態」または「いくつかの実施形態」への言及は、実施形態を参照して記載された特定の特徴、構造、または要素が、記載された対象物の少なくとも一つの実施形態に含まれる、ことを意味する。そのため、記載中の「実施形態で」または「かかる実施形態で」または「幾つかの実施形態で」という文言は必ずしも同じ実施形態を指すものではない。さらに、特定の特徴、構造、または要素は、１つ以上または複数の実施形態で任意の適切な方法で組み合わせることができる。
【００３３】
図１は、下記の方法に従って生産された製品や衣類の平坦化された正面図を概略的に示す。図２は同じ製品または衣類の斜視図である。
【００３４】
図３は、ここに記載の方法を使用して衣類を編成することができる編機のニードルシリンダの回転軸を含み、垂直面に沿った断面図を概略的に示している。編機は、円形の針床を備えたニードルシリンダ１０１と、場合によっては各針Ａの下方に配置されるジャックＪとを備えていることが知られている。ニードルシリンダ１０１は、以下に記載のように、編成ステップに従って、連続または往復の動作でそれ自身の軸Ａ−Ａを中心に回転し、そうすることで針は、図中示されていないが２つ以上のフィードから給糸された糸で衣類を編成することが出来る。針の動きは、カム１０３及びセレクタ１０５及び針を制御するために必要な任意の他の部材から成る複数のグループで制御される。針を作動させ制御する部材は、好適には固定されており、つまりそれらはニードルシリンダ１０１の軸Ａ−Ａを中心に回転しない。ダイヤル１０５は、ニードルシリンダ１０１に関連付けてもよい。他の実施形態では、それは周知の通りで、編機は二重のニードルシリンダを備えてもよい。ここに記載の種類の衣類を編成するのに使用可能な編機の詳細は、当業者には公知であり説明は省略する。しかしながら、本発明の編成方法で編機を最適化するために使用される制御カムの幾つかの特徴が、以下に説明される。
【００３５】
幾つかの実施形態では、全体を符号１で示された衣類または製品は、第一の筒状脚片３と、第二の筒状脚片５とを備えている。２つの筒状脚片３及び５のそれぞれは、開閉可能なそれぞれの爪先または端部（図示せず）から本体７まで伸びている。筒状脚片は、例えばタイツやパンティーストッキングの場合には、製品のそれぞれの脚を形成する端部まで伸びることができる。他の実施形態では、筒状脚片３及び５は、もっと短くでき、一種のパンティ（下着）を形成するように本体７と一体で少数列のステッチを含むこともできる。
【００３６】
本体７は、符号１１で示された仕上げ端部に囲まれた開口部９を有する。端部１１は、弾性を有する端部が好適である。図２には弾性のある端部が示され、図１は、特に端部１１が施される前の未完成の製品または衣類を示している。これは、本体７の上部に１つの開口部１３だけを有し、引き続きその縁に沿って端部１１が縫製される。開口部１３は、衣類１を編成した後、それを裁断することで作ることができる。
【００３７】
有利な実施形態では、本体７は３つの部分から構成され、それらは１つの中央部１５と２つの側部１７及び１９である。以下により詳細に説明されるように、側部１７及び１９は、それぞれ少なくとも１つの生地ポケットから構成される。
【００３８】
２つの側部１７及び１９を形成する生地ポケットはそれぞれ、ニードルシリンダの往復運動によって作られ、徐々に減少するステッチの部分的な列及び徐々に増加する長さを備えている。逆に、本体７の中央部１５は、有利には、脚片と同様にニードルシリンダの連続運動によって編成することができる。
【００３９】
すべての編成ステップでは、ニードルシリンダの針は少なくとも２つのフィードすなわち少なくとも２本の糸で給糸される。好ましい実施形態では、４つのフィードがニードルシリンダ１０１の針Ａの円形の針床に４本の糸を給糸するために備えられている。ニードルシリンダの直径寸法がそれを許容する場合、フィードの数は４つ以上、例えば６つまたはそれ以上のフィードであることができる。このように、製品または衣類を生産するのに必要な時間は短縮され且つ完成品はより高い品質を有する。実際には、（完全または部分的な）複数の列が、ニードルシリンダ１０１の回転毎に給糸される糸の数に等しく形成される。
【００４０】
生地ポケット１７及び１９のお蔭で、衣類の心地良いフィット感が改善され、本体中央部の弾力性を制限しないため、比較的大きいサイズを着用する人々も製品または衣類を使用することができる。
【００４１】
幾つかの実施形態では、製品または衣類１は、丸編機、例えば、場合によってはダイヤルを備えたシングルニードルシリンダ丸編機でシングル編成動作によって生産される。
【００４２】
編成工程は、実質的に、一連のステップで構成され、その工程の最後に、本体と筒状の脚片を備えた完全な製品が生産される。特に編成工程は、以下に説明されるように、例えば連続した７つのステップに細分されてもよい。
【００４３】
編成工程は、差別なく筒状脚片３または筒状脚片５から開始することができる。説明の現実性のために、筒状脚片３の編成から始めて筒状脚片５の編成で終える工程について以下に言及されることになるが、しかしながらその工程は反転させることができ、筒状脚片５の編成から始めて筒状脚片３の編成で終えることが理解される。
【００４４】
丸編機１０１での第一の編成ステップ（図２）では、筒状脚片３は連続運動で従来の編成方法を使用して編まれ、針制御カムが固定されていることが好適であり、またニードルシリンダ１０１はそれ自身の軸Ａ−Ａを中心に連続運動で回転する。筒状脚片３の編成には、針をすべて使用するか、または特別の編成効果を生み出すためにそれらのうちの幾つかを選択することが可能である。しかし、脚片が筒状拡張部を有するので、ステッチの列は一般的には針床のすべての周囲で少なくとも部分的に拡張するよう形成される。
【００４５】
筒状脚片３を編成するために、１つまたは複数のフィードすなわち１つまたは複数の糸を針Ａの円形針床に給糸することができる。好ましくは、少なくとも４つのフィードが使用され、一般には偶数のフィード例えば６つのフィードが使用される。このようにニードルシリンダが回転する毎に、複数の列はフィードの数と等しく作られる。
【００４６】
少なくとも２つのフィードで、Ｚ型またはＳ型の被覆糸、すなわち時計回り（Ｚ糸）及び反時計回り（Ｓ糸）に撚られたフィラメントで被覆されたエラストマー芯を備えた糸を使用することができる。当業者には周知のように、Ｚ糸及びＳ糸の同時使用は製品により良い一貫性を与えて、捻れない傾向がある。
【００４７】
Ｓ糸及びＺ糸を組合せて使用する代わりに、所謂、ダブル糸を使用することが可能である、つまり被覆糸は逆の螺旋に沿ってエラストマー芯の周囲に撚られるので、糸は捻れない傾向がある。しかし、ダブル糸はＳ撚り及びＺ撚りの糸に比べて高価である。そのため、ダブル糸の代わりにＳ糸及びＺ糸を使用する機会は、かなり経済的な利点がある。
【００４８】
筒状脚片３の編成は、符号２３で示されたステッチの最後の円形列を形成して終了する。好ましくは、完成した列２３は、必ずしも必須ではないが、丸編機が提供する針の数に等しい複数のステッチで構成される。この列が完成したことつまり脚片全体の周囲で拡張することは単に重要である。
【００４９】
従って、図１のＲＧ３で示された本質的に水平に伸びるステッチの列は、筒状脚片３に沿って形成される。図２２のＣＧ３で示されるように、列Ｇ３を形成するステッチは、ステッチの実質的に縦方向のカラムに従って、筒状脚片３の拡張に沿って配置される。
【００５０】
その後、プロセスの第二のステップが、丸編機で実行される。このステップは、生地ポケット１７の第一の部分１７Ｄを形成するために、往復運動で徐々に長さを減少させる部分的な列の第一のシリーズを編成することで構成されている。ポケットのこの部分及びポケット１７、１９の残りの部分がどのように形成されるかについては、図４及び図５Ａ−５Ｍのシーケンスを参照して以下により詳細に説明される。
【００５１】
脚片と同様に、ポケット１７の部分１７Ｄは複数のフィードで編まれる。好ましくは、第一の筒状脚片３を編成するために使用されるフィードの数、つまり少なくとも２つ、好ましくは少なくとも４つ以上の数と同数の複数のフィードが、使用される。
【００５２】
ポケット１７の部分１７Ｄは、筒状脚片３の編成のために使用された糸と同じ糸で形成することができる。他の実施形態では、特定のまたはすべての糸が交換されてもよく、ポケット１７の部分１７Ｄは脚片３に使用された糸の数と等しい数の複数の糸で形成されるが、これらの糸は異なる種類の糸であり、例えば、これらの糸は異なるデニール、異なる組成または構造を有することができる。いくつかの実施形態では、糸の種類は、ポケット１７の部分１７Ｄを編成しながら一回または複数回変更することができる。
【００５３】
ポケット１７の部分１７Ｄが形成されている間に、符号Ｒ１７で示されたステッチの部分的な列は、脚片３を編成する間に形成された最後の完成列２３から開始され、最小の長さの列ＲＭ１７までその長さを徐々に減少させて連続して編まれ、編成工程のこの第二のステップを終了する。正確には、生地のポケット１７は複数のフィードで編成されるので、従って１つの方向または反対の方向でニードルシリンダ１０１の回転毎に複数の列を形成し、ポケット１７の部分１７Ｄの編成は、このステップで使用されるフィードの数、例えば４つのフィードと等しい最小の長さの複数の列ＲＭ１７を形成して、終了する。
【００５４】
列または最小の長さの列ＲＭ１７のグループは、２本の向い合った線Ｌ１７の一方の端部ポイントから他方の端部ポイントに及び、両方ともＣ１で示されている。
【００５５】
以下により詳細に説明されるように、すべての往復ストロークつまり一方向または反対方向の往復運動で、ニードルシリンダ１０１のすべての回転で様々なフィードからの糸で形成されるシングルの列は、以下の詳細な説明から当業者には明らかである目的のために、好ましくは１つ以上または複数のステッチで、より好ましくは３つ以上のステッチで、例えば３から１０のステッチで、相互に関わってシフトされる。
【００５６】
図１で全体として符号Ｒｘ１７で示されるように、生地ポケット１７の部分１７Ｄを編成する間に編成される部分的な列の第一のグループは、針Ａの円形の針床の部分的な弧だけを操作することによって編成され、従って、脚片を形成する列のステッチ数よりも少ない複数のステッチを有する。編機が、例えば４００本の針を備える場合、脚片３（及び同様に脚片５）の列ＲＧ３のそれぞれは４００ステッチで構成されるので、ポケット１７の部分１７Ｄの第一の部分的な列Ｒ１７は、ニードルシリンダ１０１の針Ａの半円弧を用いて編まれ、他の針は休止しているため、そのほぼ半分の針数で構成することができる。ニードルシリンダ１０１の往復回転が反転される毎に、様々な作動中のフィードからの糸で形成された部分的な列の長さは、減少する。例えば、動作が反転する毎に列の長さは、各部分的な列のそれぞれの端部で作業針の１本を除いて２ステッチ減少することができる。
【００５７】
本質的には、ニードルシリンダ１０１の回転方向を周期的に反転させることによって、連続して編成される部分１７Ｄの部分的な列は、そのため、最小の長さの部分列ＲＭ１７の数を形成するまで、作業から外す針の数を徐々に増やすことによって編成されるように、徐々に長さを減らし、つまりステッチの数を徐々に減らしている。
【００５８】
さらに、様々なフィードからの糸で一方向（時計回りまたは反時計回り）のシングル往復ストロークの間に形成された全ての列は、好ましくは、同数のステッチ（つまり同じ長さ）を有する。しかしながら、各往復ストロークまたはニードルシリンダ１０１の振動中に形成された列は相互に関わってシフトされる、すなわち等しい長さのシングル列の終端ステッチは１つのカラムで相互に揃うことはないが、所定のステッチ数でシフトされる。
【００５９】
ポケット１７の部分１７Ｄに沿って相互に続く部分的な列の端部は、列２３から最小の長さの列ＲＭ１７まで、傾斜して伸び（１つは衣類の正面に、他は衣類の背面にある）、２本の向い合った区切り線Ｌ１７に沿って配置されている。それは、図中示されていないが、実際に、ポケット１７の領域に本質的に鏡に映したような２本の線が、１つは正面に他は背面に存在することが理解される必要がある。これらの向い合った線Ｌ１７は、編成工程のこのステップで形成された部分的な列の端部の整列によって構成される。
【００６０】
一旦ポケット１７のこの部分１７Ｄが完全に形成されたならば、ポケット１７の第二の部分１７Ｃを編成する次のステップが開始される。また、ポケット１７の部分１７Ｃは、ニードルシリンダの往復運動によって、且つ、徐々に増して、つまりポケット１７のこの部分１７Ｃを編成する間に相互に続く列の長さを徐々に増加して編成される。また、ポケット１７の部分１７Ｃは、複数のフィードからの糸を往復運動で回転するニードルシリンダ１０１に給糸することによって形成され、好ましくは、脚片３及びポケット１７の部分１７Ｄを編成するために使用されたものと同じ数の複数のフィードで形成される。
【００６１】
従って、ポケット１７の部分１７Ｄを形成する短くなる長さの列を参照して既に説明したように、一方向または反対方向でニードルシリンダ１０１の回転毎にポケット１７の部分１７Ｃを形成しながら、列のグループは、実際にはフィードの数に等しい複数の列を含む各グループを形成している。図示された実施形態では、各グループの列は同じ長さを持っている、つまりそれらは同数のステッチを備えている。これは好適ではあるが、厳密には必要ではない。他の実施形態では、各グループの列は相互に異なった長さを有してもよい。
【００６２】
さらに、各グループの列が同じ長さを持っている場合に、それらは部分１７Ｄを編成する間に形成されたグループの列と同様に相互に関わってシフトされる。ステッチの数及び従って部分的な列の長さは、列ＲＭ１７の最小の長さから開始して列のグループから次の１つに至るまで漸増する。
【００６３】
ポケット１７の部分１７Ｃを形成するための編成工程の第三のステップの間に形成された様々な部分的な列は、それらの端部で、部分１７Ｄを形成する逓減する長さの部分的な列と連結する。図４、５Ａ−５Ｍ、６Ａ−６Ｆを参照して以下により良く説明されるように、逓減する部分的な列及び漸増する部分的な列は、線Ｌ１７に沿って一体に連結する。
【００６４】
ポケット１７の部分１７Ｃの編成は、部分１７Ｃの符号Ｒｙ１７で示された最後の部分的な列、より正確には部分的な列の最後のグループを形成するまで、部分的な列Ｒ１７の長さを漸増しながら継続する。
【００６５】
さて、編成工程の第四のステップは、ニードルシリンダ１０１の連続運動で作られ、第一の完成列２５から再び開始して、始められる。列２５は環状の拡張を有しており、好ましくは、編機の針の全体数と等しい複数のステッチによって形成される。この第四のステップで、本体７の中央部１５は、ニードルシリンダ１０１の連続運動で編成され、針は、環状の拡張を有し、また列２５と本質的に平行な完成列２５Ｘのシーケンスを形成する。最後の完成列２７の形成は、本体７の中央部１５の編成を終了する。
【００６６】
特に図２に示されたように、ポケット１７の部分１７Ｃ及び本体７の中央部１５に形成された生地のステッチは、衣類または製品１が着用される開口部を画定するエッジ１１と本質的に平行なカラムに沿って配置される。従って、図１に示されるように、ステッチの列はカラムに対し本質的に直角である。
【００６７】
次の第五の編成ステップでは、生地ポケット１９の２つの部分１９Ｄ及び１９Ｃは、ポケット１７の形成のために使用されたものと本質的に対称的な工程を使用して形成される。生地ポケット１９を編成する間に、複数のフィードが使用され、好ましくは先の第四のステップの編成工程で使用されたフィードの数と等しい。ニードルシリンダ１０１が一方向または反対方向に回転する毎に、列はフィードの数と等しい数で、また同じ長さを有して形成される。一方向または反対方向の回転毎にまたは往復ストローク毎に形成され、また好ましくは同じ長さを有して形成された列は、相互に関わってシフトされる。この動作が反転される毎に、列の長さは、好ましくは２ステッチ減少する。
【００６８】
特に、編成工程の第五のステップは、本体７の中央部１５を完成する列２７から開始して、ニードルシリンダ１０１の往復運動で長さを逓減させる部分的な列のシリーズの形成を含んでいる。Ｒｘ１９は、部分的な列の第一のグループを示す。列Ｒｙ１７と同様に、部分的な列Ｒｘ１９は、ニードルシリンダ１０１の針の数のほぼ半分に等しい複数のステッチを有することができる。部分的な列Ｒｙ１９に続く列はＲ１９で示され、逓減する長さを有する。
【００６９】
ポケット１９の部分１９Ｄを形成する部分的な列は、２本の線Ｌ１９に沿って配置される。２本の線のうちの１本だけが図示されており、他の１本は鏡に映したようになっている。線Ｌ１９は、線Ｌ１７と本質的に対称である。
【００７０】
符号ＲＭ１９で示された最小の長さの部分的な列のグループの形成は、編成工程の第五のステップを終了し、これらの部分的な列は、２本の向い合う線Ｌ１９の一方の端部ポイントＣ２から２本の向い合う線Ｌ１９の他方まで伸びる。
【００７１】
この第五の編成ステップの後、第六の編成ステップは、ポケット１９の第二の部分１９Ｃの形成を含んで、始まる。この第六のステップで、漸増する長さのステッチの部分的な列は、符号Ｒ１９で再び示され、最小の長さの列ＲＭ１９から開始して最大の長さの部分的な列Ｒｙ１９の最後のグループまで形成される。一方向または他の方向で、回転毎に形成された列の数は、フィードの数と等しく、またこれらの列は好ましくは同じ長さを有する。しかし部分１７Ｃの編成を参照して既に説明したように、これらの列は相互にシフトされる。
【００７２】
次の第七のステップは、編成工程の最後のステップであり、それは、編機で利用可能な針の数と等しい複数のステッチで、好ましくは形成された環状の拡張を備えた完成列２９の形成で始まる。編成は、筒状脚片５の始まりを構成する開始列２９からの連続した列ＲＧ５を形成して、その端部（図示されていない）の最後の列まで、継続される。編成は、列２９から開始して、針の連続運動及び製品または衣類の先の部分を形成するために使用されたフィードの数に好ましくは等しい複数のフィードで、例えば４つのフィードで形成される。
【００７３】
ポケット１７及び筒状脚片３を参照して説明したこととは対称的に、ステッチのカラムＣＣは、ポケット１９の部分１９Ｄに沿ってエッジ１１と本質的に平行して配置され、脚片５に沿ったカラムは、線ＣＧ５で概略的に示されるように、筒状脚片５の縦の拡張に沿って配置される。
【００７４】
往復運動で生地ポケット１７、１９を形成する工程は、図４及び図５Ａ−５Ｍのシーケンスを参照して以下により詳細に説明される。以下に説明されることは、衣類または製品１を形成するために、編機が４つのフィードを使用する特別のケ−スを指すことに注視すべきである。これは、衣類または製品１を編成するために、現在のところ好適なフィード数である。この典型的な記述から、当業者には異なる数のフィードを使用してどのように製品または衣類を生産することが可能であるかを理解することができる。
【００７５】
（上記で簡単に説明したように）逓減する列の部分１７Ｄ、すなわち、列の長さが逓減する領域の形成で始まり、次いで部分的な列の長さを漸増して領域１７Ｃを編成することでポケット１７を編成するステップについて、以下に言及する。編成工程のこれら２つのステップの説明から、ポケット１９が対応する方法でどのように編成されるのかを理解するのは容易である。
【００７６】
工程は、部分列の長さが一定で直線的に減少する、すなわちニードルシリンダ１０１の回転毎にまたは振り子運動で列の長さが等しく減少し、前記長さは単一の列を形成するステッチの数として理解されることが以下に説明されるであろう。当業者には、これが好ましい操作工程であって、しかもここに記載された方法は、生地ポケットを編成する間に次の周期、すなわち往復ストロークの異なるステッチの数によって、部分的な列の長さを例えば減らすような異なる方法で実現することができると理解するであろう。
【００７７】
減少と増加のパターン、つまり、長さを増減する列のうち、２つのポケット１７及び１９のパターンは、好ましくは鏡に映したようにされるが、シーケンスは衣類の正面及び後部にとって必ずしも等しい必要がない。これは、異なる長さの後続の列が、生地の２枚の部分（正面及び後部）で異なる仕方で長さを増減され得ることを意味する。下記の説明では、動作が反転される毎に、ステッチの列の長さは端部毎に１ステッチ減ることが仮定されている。
【００７８】
図４は、ポケット１７の領域に形成された生地を概略的に拡大した簡略図を示す。ポケット１９は鏡に映したような方法で形成される。図４は、所定の数の列だけを示していることが理解されるべきであり、実際には、ポケット１７及び１９を形成する部分的な列の数は、図４に示された列の数より著しく多い。さらに、図４は、生地ポケットが編成される前後に連続運動で作られた生地の部分を省略して（非常に限られた数の列を除いて）増減する部分的な列の領域のみを示している。さらに表現の目的により、図４は部分的な列の端部のみを示しており、これらの列は中断されて示され、またその中央領域が省略されている。
【００７９】
図４では、「Ａｉ」は針を示し、「ｉ」は編機の円形の針床にある針の連続番号を示している。図示された実施例では、Ａ１からＡ４００まで番号が付され、４００本の針を備えている。同じ符号Ａ１は、ｉ番目の針によって形成されたステッチを示すために使用される。Ｆ１、Ｆ２、Ｆ３及びＦ４は、編機が備えている４つの別々のフィードから給糸される４本の糸を示している。針Ａのニードルシリンダ１０１の回転の方向は、Ｆで示されている。
【００８０】
図５Ａ−５Ｍは、針Ａの円形の針床の平面図を概略的に示している。ここでは、４つのフィードが、糸Ｆ１、Ｆ２、Ｆ３及びＦ４のそれぞれを給糸する糸ガイドＧ１、Ｇ２、Ｇ３及びＧ４のそれぞれによって表示されている。符号Ｇ１−Ｇ４は、またそれぞれのフィードを示すためにも使用される。Ｆは、円形の針床つまり針Ａのニードルシリンダ１０１の回転の方向を示している。Ｓ１Ａ、Ｓ２Ａ、Ｓ３Ａ及びＳ４Ａは、ニードルシリンダ１０１が反時計回りの方向に回転する際に、４つのフィードＧ１−Ｇ４のそれぞれに関連した針を選択するためのセレクタを示している。Ｓ１Ｏ、Ｓ２Ｏ、Ｓ３Ｏ及びＳ４Ｏは、ニードルシリンダ１０１が時計回りの方向に回転する際に、フィードＧ１−Ｇ４のそれぞれに対応するセレクタを示している。図５Ａ−５Ｍは、作動中のセレクタつまり図中に表示されたそれぞれのステップで作動しているセレクタだけを示している。
【００８１】
図４を最初に参照すると、ＲＧ３は、連続運動で編機１のニードルシリンダ１０１によって編成された最後の筒状の完成列を示している。図示された実施形態では、連続運動は、単に実施例として反時計回りであると仮定されている。図５Ａは、連続運動で脚片３を編成するこの終了ステップを概略的に示している。
【００８２】
編機の針Ａ１−Ａ４００は、すべて作動中で図４のＲＧ３で示される最後４つの完成列を糸Ｆ１−Ｆ４で形成する。
【００８３】
図４との組み合わせで、図５Ｂは、ポケット１７の部分１７Ｄの、糸Ｆ１で形成され、図４に符号ＲｘＦ１で示された第１の部分的な列が完全に編成される間のステップを示している。ニードルシリンダ１０１は反時計回りの方向（矢印Ｆ）に回転している。フィードＧ１の上流に配置されたセレクタＳ１Ａは、針Ａ２００に続く針の作業から離れている。セレクタＳ１Ａによって選択されなかったが針Ａ２０１及びそれに続く針がステッチを形成せずにフィードＧ１の正面を通過する間に、針Ａ２００は列ＲｘＦ1の最後のステッチを形成する。
【００８４】
図４との組み合わせで、図５Ｃを参照すると、ニードルシリンダ１０１は反時計回りの回転を継続し、針Ａ２００及びそれに続く針はセレクタＳ２Ａの正面そして第二のフィードＧ２の正面を通過する。セレクタＳ２Ａによって選択された最後の針はＡ１９７であり、第二のフィードＧ２の糸Ｆ２で、符号ＲｘＦ２で示された後続の部分的な列の最後のステッチを形成する。針Ａ１９７に続く針は選択されていないので、それらは糸Ｆ２でステッチを形成するものではない。部分的な列ＲｘＦ２の端部は、糸Ｆ１で先に形成された列ＲｘＦ１の端部に対し３ステッチをシフトする。
【００８５】
図４との組み合わせで、図５Ｄを参照すると、ニードルシリンダ１０１は、反時計回りの回転を継続して、最初に第三のフィードＧ３に関連したセレクタＳ３Ａの正面に、次いで第三のフィードＧ３の正面に、針Ａ２００−Ａ１９７をもたらす。セレクタＳ３Ａは最後の針として針Ａ１９４を選択し、それに続く針Ａ１９５、Ａ１９６．．．は休止状態である。従って、第三のフィードＧ３から給糸される糸Ｆ３は、針Ａ１９４に対応するステッチを形成することを停止し、糸Ｆ３で形成され図４の符号ＲｘＦ３で示された部分的な列は、糸Ｆ２で形成され符号ＲｘＦ２で示された先の部分的な列に対し３ステッチをシフトされる、また糸Ｆ１で形成され符号ＲｘＦ１で示された部分的な列に対しては６ステッチをシフトされる。
【００８６】
図４との組み合わせで、図５Ｅを参照すると、ニードルシリンダ１０１はそれに続く針Ａ２２０、Ａ１９９．．．をセレクタＳ４Ａの正面に、次いで第４のフィードＧ４の正面にもたらすまで反時計回りに回転し続ける。セレクタＳ４Ａは、最後の針として針Ａ１９１を選択し、それに続く針は降ろした状態のままである。従って、第４のフィードから給糸される糸Ｆ４は、列ＲｘＦ３に対し３ステッチを、列ＲｘＦ２に対し６ステッチを、また列ＲｘＦ１に対し９ステッチをシフトされた第一の部分的な列ＲｘＦ４を、形成する。
【００８７】
図５Ｆは、ニードルシリンダ１０１の動作が反転される角度位置を示している（二重矢印Ｆを参照）。一旦反転が生じると、針Ａ２００、Ａ１９７、Ａ１９４及びＡ１９１は、部分的な列ＲｘＦ１、ＲｘＦ２、ＲｘＦ３及びＲｘＦ４の端部ステッチを保持して、セレクタＳ４Ａの位置を越えて大きく（ほぼ３０度）移動する。
【００８８】
従って、反時計回りの方向のニードルシリンダ１０１の連続運動が終了すると、編成された４つの部分的な列は、（第一のフィードの糸Ｆ１のための）針Ａ２００、（第二のフィードの糸Ｆ２のための）Ａ１９７、（第三のフィードの糸Ｆ３のための）Ａ１９４及び（第４のフィードの糸Ｆ４のための）Ａ１９１によって形成されるそれぞれの最後のステッチで終了して、形成される。これら４つの列ＲｘＦ１−ＲｘＦ４のシフトされた端部は、線Ｌ１７（図２及び３）に沿って配置される。これらの部分的な列の端部は、単に実施例として、３本の針従って３ステッチを相互に対してシフトされる。部分的な列の端部とそれに続く部分的な列の端部との間に、３を超えるステッチ例えば５から９までのステッチがあっても良いことが理解されるべきである。
【００８９】
図４との組み合わせで、図５Ｇには、生地ポケット１７を形成する方法の後続のステップについて示している。ここでは、ニードルシリンダ１０１は回転を反転して、時計回り（図５Ｇの矢印Ｆ）に回転を開始する。第４のフィードＧ４に関連したセレクタＳ４Ｏは、第一の針に針Ａ１９０及び回転の方向に続く針（つまり針Ａ１８９、Ａ１８８．．．）を選択し、その他の針Ａ１９１、Ａ１９２．．．を休止状態のままにする。従って、次の列の形成は糸Ｆ４で始まる。この列は符号ＲＦ４で図４に示されている。
【００９０】
図４との組み合わせで、図５Ｈには、ニードルシリンダ１０１が時計回り方向で回転を継続する一方、セレクタＳ３Ｏは第三のフィードＧ３の糸Ｆ３でステッチの列を形成する針を選択し始める。第一の選択された針は針Ａ１９３である。次の針Ａ１９２、Ａ１９１、Ａ１９０が図４の符号ＲＦ３で示された、糸Ｆ３で形成されている列の後続のステッチを形成する間、先の針（Ａ１９４、Ａ１９５．．．）は休止状態である。
【００９１】
図４との組合せで、図５Ｉには、ニードルシリンダ１０１が時計回りに回転し続けている間、 第２のフィードＧ２に関連付けられ、時計回りの方向に対してこのフィードの上流に配置されるセレクタＳ２Ｏは、第一の針としてＡ１９６を選択し、先の針（Ａ１９７、Ａ１９８、Ａ１９９．．．）を休止状態のままにして、第二のフィードの糸Ｆ２で列ＲＦ２の形成を開始するように次の針（Ａ１９５、Ａ１９４．．．）を選択する。同時に、第４のフィードＧ４に関連したセレクタＳ４Ｏは、第４のフィードの糸Ｆ４で部分的な列ＲＦ４の形成を終了するために最後の針（Ａ２）を選択する。次の針（Ａ１, Ａ４００．．．）は、ステッチを形成せず第４のフィードの正面を通過する。従って、部分的な列ＲＦ４は、針Ａ１９７によって形成されたステッチから、針Ａ２によって形成されたステッチまで拡張している。
【００９２】
図４との組合せで、図５Ｊには、ニードルシリンダ１０１が時計回りに回転を継続する間、第一のフィードに関連付けられ、時計回りの方向に対してこのフィードの上流に配置されるセレクタＳ１Ｏは、第１のフィードの糸Ｆ１でステッチを形成するための針を選択し、部分的な列ＲＦ１を形成する。選択された第一の針は、Ａ１９９である。その一方で先の針（Ａ２００、Ａ２０１．．．）は休止状態である。再び図５Ｊを参照して、第３のフィードに関連したセレクタＳ３Ｏは、針Ａ５に続く針を降ろし、結果として第３のフィードの糸Ｆ３で形成された部分的な列ＲＦ３は、針Ａ５を用いて形成されたステッチで終了し、また従って針Ａ１９３、Ａ１９２、Ａ１９１．．． Ａ５によって作成されたステッチで形成される。
【００９３】
図５に示されるように、ニードルシリンダ１０１は時計回りに回転を続ける。この図の中で、第二のフィードＧ２に関連したセレクタＳ２Ｏは、列ＲＦ２の最後のステッチを形成するための最後の針としての針Ａ８を選択し、一方針Ａ７、Ａ６とそれに続く針は休止状態である。従って、糸Ｆ２で形成された部分的な列ＲＦ２は、針Ａ８、Ａ９、Ａ１０．．．Ａ１９５によって形成されたステッチで構成される。セレクタＳ４Ｏはいずれの針も選択していない。
【００９４】
ニードルシリンダ１０１は、図４との組み合わせで、図５Ｌに示すように、部分的な列ＲＦ１が完全に形成されるまで時計回りに回転を続ける。Ａ１１は、部分的な列ＲＦ１の形成のためにセレクタＳ１Ｏによって選択された最後の針である。後続の針Ａ１０、Ａ９、Ａ８．．．は降ろされ、ステッチを形成しない。従って、部分的な列ＲＦ１（図４）は、針Ａ１９９、Ａ１９８、Ａ１９７．．．Ａ１１によって形成されたステッチで構成される。
【００９５】
ニードルシリンダ１０１は、図５Ｍで示された位置まで、つまりセレクタＳ１Ｏによって選択された最後の針が次のセレクタＳ１Ａを越えて通過するまで時計回りに回転し続ける。このように、ニードルシリンダ１０１の回転が再び反転される際には、セレクタＳ１Ａは後続の部分的な列を形成するために正確に針を選択することができる。
【００９６】
この工程の結果は、図４に明白に示されている。連続運動でニードルシリンダの最後の反時計方向回転中に形成された最後の部分的な列ＲｘＦ１、ＲｘＦ２、ＲｘＦ３、ＲｘＦ４は、シフトされたポイントつまりこれらの列の各々で形成された最後のステッチが隣接した部分的な列の最後のステッチに対しシフトされたポイントで終了する。第一のフィードＧ１の糸Ｆ１で形成された列ＲｘＦ１は、針Ａ２００によって形成されたステッチで終了する。第二のフィードＧ２の糸Ｆ２で形成された列ＲｘＦ２は、針Ａ１９７によって形成されたステッチで終了する。第三のフィードＧ３の糸Ｆ３で形成された列ＲｘＦ３は、針Ａ１９４によって形成されたステッチで終了する。最後に、第四のフィードＧ４の糸Ｆ４で形成された列ＲｘＦ４は、針Ａ１９１によって形成されたステッチで終了する。従って、各列の終了ステッチは、相互に対して３ステッチをシフトされている。部分的な列の第一のシリーズは、各列の長さを２ステッチ、それぞれの列の各端部で１ステッチを減らすことによって形成される。例えば、針Ａ２００で最後のステッチを形成した第一のフィードの糸Ｆ１は、針Ａ１９９で次の列ＲＦ１の編成を開始する。さらに、部分的な列ＲＦ４、ＲＦ３、ＲＦ２、ＲＦ１は、３ステッチで相互にシフトされたポイントで開始し、同様に、同数のステッチで相互に対しシフトされて終了する、その結果、これらの列の各々は等しい数のステッチで形成される。
・ 列ＲＦ４は、針Ａ１９０からＡ２で形成されたステッチで形成される。
・ 列ＲＦ３は、針Ａ１９３からＡ５で形成されたステッチで形成される。
・ 列ＲＦ２は、針Ａ１９６からＡ８で形成されたステッチで形成される。
・ 列ＲＦ１は、針Ａ１９９からＡ１１で形成されたステッチで形成される。
【００９７】
しかし、角度ストローク中、すなわち、ニードルシリンダ１０１の回転動作の振動または往復ストローク中、異なるフィードで形成された様々な部分の列の最後のステッチは、ステッチの同じカラムに揃っていないが、それらはシフトされる。
【００９８】
他の実施形態では、糸によって形成された列はそれぞれ、その両端部で、先の列に対し１ステッチ以上で減らすことができる。
【００９９】
尚、図６を参照すると、生地の各ポケットの第二部の編成中、部分的な列の長さは、ニードルシリンダの動作の各反転時に漸増されることが明白に理解され得る。示された実施形態では、そのような増加は、反転毎に実行され、その結果、各列はその両端部で成長する。典型的な実施形態では、列の長さの成長は、列の各端部で１ステッチである。つまり、長さを増加させる各列は、先の（短い）列に対してその両端で追加の１ステッチを有する。増えるステッチの数は、末端ごとに１つ以上（すなわち列当たり２つ以上）異なることができる、ことが理解される。
【０１００】
編成動作が、再び反時計回りで開始する際に、図５Ｍに示される位置から開始して、第一のフィードＧ１は、部分的な列ＲＦ１の最後のステッチを形成した針に隣接している針でステッチを形成し始め、従って、糸Ｆ１で形成された次の列の第一のステッチは、針Ａ１２によって形成されたステッチである。問題の列は、ＲＦ１’で図４に示されている。この列は、針Ａ１９８によって形成されたステッチまで伸び、従って第一のフィードＧ１の糸Ｆ１で形成された先の部分的な列ＲＦ１に対し２ステッチ減らす（従って２ステッチ短くなる）。
【０１０１】
同様に、第二のフィードの糸Ｆ２は、先の時計回りの操作で最後のステッチを形成した針Ａ８に隣接している針Ａ９から開始し、ステッチを形成し始め、前の針Ａ１９５によって形成されたステッチで部分的な列ＲＦ２’の形成を終了し、そのため同じフィードで先に形成された列ＲＦ２に対し２ステッチ短くなる。２つの列ＲＦ１’、ＲＦ２’に対し３ステッチを相互にシフトされる（列ＲＦ１’は針Ａ１２から開始してＡ１９８で終了し、列ＲＦ２’は針Ａ９から開始して針Ａ１９５で終了する）。
【０１０２】
図４に示すように、編成工程は、長さを減少させる４つの部分的な列の集合の編成を継続し、その結果、ニードルシリンダ１０１の振動または往復ストローク毎に形成された４つの列は、３ステッチを相互にシフトされる。
【０１０３】
記載された実施形態では、４つのフィードで形成された列が、順序づけられた方法で、３ステッチを相互にシフトされるように針は選択されている、つまり、例えば列ＲＦ１−ＲＦ４の開始端部は、第４のフィード（糸Ｆ４）で形成される列まで第一のフィード（糸Ｆ１）で形成された列から開始して３ステッチを３回シフトされる。反対の端部で、列ＲＦ１’−ＲＦ４’の開始点は、糸Ｆ４で作られた第一のステッチから開始して糸Ｆ１で作られた第一のステッチまで反転してシフトされる。しかしながら、これは厳密に必要ではなく、以下に明白なように、幾つかの場合でシーケンスを変更することができる。
【０１０４】
記載された編成工程の結果として、生地ポケット１７の線Ｌ１７に沿って、（図４の詳細では、単一の列ＲＦ１−ＲＦ４、ＲＦ１’−ＲＦ４’とそれに続く）部分的な列Ｒ１７の端部は一致せず、それらは単糸の張力の低い集中でより均一な生地をもたらし、むしろステッチの帯に分散される。
【０１０５】
ポケット１７の部分１７Ｄを形成する減少する部分的な列が一旦編成されると、図４に示されるように、工程は、生地の部分１７Ｃを形成するために長さを漸増する部分的な列の形成を継続する。その工程は、長さを減少させる部分的な列の形成のために記載されたものとは本質的に対称的である。また、一方向または反対方向にニードルシリンダ１０１の角度ストローク毎に４つのフィードで形成された長さを漸増する部分的な列は、部分１７Ｄの形成を参照して上記したように、３ステッチを相互にシフトする。所定のフィードからの糸で形成された各列は、同じフィードで形成された先の列に対し２ステッチを増加する。生地の部分１７Ｃを形成する部分的な列の長さは、１９０ステッチと等しい長さまで増加する。１９０ステッチの長さを有する４つの列は、図１の線２５に対応する列である。
【０１０６】
明瞭性のために、図６Ａ−６Ｆのシーケンスは、長さが増加する部分的な列を形成する６段階の連続するステップを示す。各ステップでは、４つの列は４つのフィードＧ１−Ｇ４からの糸Ｆ１−Ｆ４で編成される。
【０１０７】
特に、図６Ａは、糸Ｆ４、Ｆ３、Ｆ２及びＦ１で形成された４つの減少する列の最後のシリーズの形成を示す。この実施例では、ニードルシリンダの最後の動作は時計回りの方向である。
【０１０８】
図６Ｂは、長さが増加する列で、生地の部分１７Ｃの４つの（糸Ｆ１、Ｆ２、Ｆ３、Ｆ４が順に形成された）列の第一のシリーズの形成がある場合、反時計回りでこれに続く往復運動の端部を示す。
【０１０９】
図６Ｃは、各列は先の周期中に形成された列に対して２ステッチ長くなるが、糸Ｆ４、Ｆ３、Ｆ２、Ｆ１で列の新しいシリーズの形成がある場合、時計回りでこれに続く往復運動の端部を示す。それに続く図６Ｄ−６Ｆは、この工程がどのように継続するかを示す。
【０１１０】
図４、５Ａ−５Ｍ、図６Ａ−６Ｆの概略的な実施例では、これは、最も短い列で１９５から１５を引いた１８０ステッチの長さであるように、長さを増減する列のうちの減少数を示していると理解されるべきである。しかし、実際には、減少した列数は以後大きくなり、大きい長さの部分的な列が例えば２００ステッチで構成される一方で、最小の長さの列（図３の列ＲＭ１７）は、例えば４０から１２０ステッチの間、好ましくは７０から９０ステッチの間、より好ましくは約８０ステッチで構成される長さを有する。明らかに、これらの値及び数は、単に非限定的な実施例である。
【０１１１】
最後の部分的な列が線２５に沿って完成すると、ニードルシリンダは、連続運動で本体７の中央部１５を形成するために反時計回りに再び回転を開始する。図４は、脚片３の最後の連続した列と本体７の中央部１５の第一の連続した列との間で、生地ポケット１７を形成する列の増減を概略的に示している。
【０１１２】
図７は、上記方法によって糸Ｆ１−Ｆ４で形成される列を概略的に示している。４本の糸によって形成された列は、４つの異なる種類の線で示されている。
【０１１３】
生地ポケット１９は、列２７のグループから開始し、図４、５Ａ−５Ｍ、図６Ａ−６Ｆを参照して上記されたのと同じ手続きに従って作られる。最初に、減少する部分的な列は、列Ｒｘ１９から開始して列ＲＭ１９までを形成し、生地の部分１９Ｄを形成する。ニードルシリンダ１０１の往復運動で、このステップで形成された部分的な列は、列ＲＭ１９の最高１９０ステッチから最小の長さまで逓減する長さを有する。ポケット１７の場合と同様に、 動作が反転する毎に生地の部分１９Ｄを形成する場合、列は先の角度ストローク中に形成された列に対して２ステッチを減少する。時計回り及び反時計方向で、４つのフィードからの糸ですべての動作毎に形成された４つの列は、相互に対してシフトされ、図示実施例では、それらは３ステッチをシフトされて図示されている。
【０１１４】
部分１７Ｃと同様に、生地の部分１９Ｃの形成は、往復運動の最後の部分的な回転の間に、列ＲＭ１９の最小の長さから開始して、４つのフィードからの糸で形成される最後の部分的な４列の最大１９０ステッチの長さまで、徐々に列の長さを増加する。その後、編成は、第二の脚片５の筒状生地を形成するために反時計回りの方向に連続運動で継続する。
【０１１５】
図４、５Ａ−５Ｍ、６Ａ−６Ｆ、７を参照して、編成プロセスは生地のポケット１７及び１９を編成するために説明されてきた。そこでは、編機に備えられた様々なフィードからの糸Ｆ１−Ｆ４によって形成された列の各グループの列のシーケンスは、逆方向での先の往復ストローク中に作成された列のシーケンスに対し対称的に一方向での往復ストローク毎に繰り返される。例えば、図４を参照すれば、列ＲｘＦ１−ＲｘＦ４は、次のような糸シーケンスＦ１、Ｆ２、Ｆ３、Ｆ４によって形成される。４つの次の列ＲＦ４−ＲＦ１のグループは、シーケンスＦ４、Ｆ３、Ｆ２、Ｆ１によって形成される。それに続く次の列のグループは、シーケンスＦ１、Ｆ２、Ｆ３、Ｆ４、その他によって形成されることになる。
【０１１６】
しかし、この反転されたシーケンスは、糸のより容易な動作に帰着するので、それが好適であっても特に厳密には必要ではない。図８は、例えば、以下のシーケンスによって相互に続く４つのフィードＧ１−Ｇ４の糸Ｆ１−Ｆ４で形成された列を示し、連続運動で列の最後のシリーズは、Ｆ１、Ｆ２、Ｆ３、Ｆ４で、その後、Ｆ３、Ｆ２、Ｆ１、Ｆ４、Ｆ１、Ｆ２、Ｆ３、Ｆ４、Ｆ３、Ｆ２、Ｆ１、Ｆ４、Ｆ１、Ｆ２、Ｆ３、Ｆ４．．．と続く。このシーケンスは、特に、Ｚ撚糸及びＳ撚糸、つまり、それぞれ時計回りまたは反時計回りの方向で、エラストマー芯の周囲に螺旋状に巻回された外側の糸で被覆されたエラストマー糸が使用される場合有用である。例えば、糸Ｆ１及びＦ３はＺ撚糸で、糸Ｆ２及びＦ４はＳ撚り糸であることができる。上記定義されたシーケンスで、Ｓ撚糸及びＺ撚糸は、相互に替ることができ、Ｓ撚糸で作られた各列は、Ｚ撚糸で作られた列が追従し、そしてその逆もある。
【０１１７】
しかしながら、長さが増減する部分的な列は、図４の実施形態の実施例のように、常に相互に対してシフトされる。
【０１１８】
同様に、図７、図９は、図８の実施形態中、４つの糸Ｆ１、Ｆ２、Ｆ３、Ｆ４で形成される列を示している。
【０１１９】
図１０Ａは、図１０Ｂ、及び図１０Ｃは、針を選択するためのそれぞれのセレクタを備えた編機のカムサポートの可能な構成の平面図を示し、それは本明細書に記載の編成方法を実施するために使用することができる。図中左側に、符号Ａで示され、２本または３本の針が編成中に得られる様々な位置で概略的に示される。符号Ｔは、針Ａのヒールを示している。符号ＴＡ及びＴＴは、針Ａのフックの軌道及び針Ａのヒールの軌道をそれぞれ示している。Ｇ１、Ｇ２、Ｇ３及びＧ４は、４つの糸Ｆ１、Ｆ２、Ｆ３、Ｆ４のための４つのフィードの糸ガイドを示している。Ｓ１Ａは、Ｓ２Ａ、Ｓ３Ａ、Ｓ４Ａは、往復運動による編成ステップで使用されまたニードルシリンダ１０１が反時計回りに回転するときに動作するフィードＧ１、Ｇ２、Ｇ３、Ｇ４に関連した針用のセレクタを示している。逆にＳ１Ｏ、Ｓ２Ｏ Ｓ３Ｏ Ｓ４Ｏは、図５Ａ−５Ｍを参照して記載したように、時計回りの回転に使用された同じフィードＧ１−Ｇ４に関連するセレクタを示している。Ｃ１及びＣ２は、針を上げ下げするためのカムをそれぞれ示している。一対のカムＣ１、Ｃ２は、各フィードＧ１−Ｇ４に関連している。Ｃ３は、針を降ろすための補助的なカムを示し、以下により良く説明されるように、それは往復運動で編成中だけ作動する。補助カムＣ３は、連続運動の編成中サポートの内側に引き込まれるので、針Ａのヒールに作用することはない。図１０Ｂ及び１０Ｃでは、さらに、それぞれの針が選択中かまたは休止中かに基づいて選択的に得られる２つの位置にジャックＪが示されている。Ｊ１及びＪ２は、ジャックの上位ヒール及び下位ヒールを示し、またＴＪ１及びＴＪ２は、これらのヒールＪ１及びＪ２のそれぞれの動作軌道を示している。ＴＪは、ジャックのヘッドの軌道を示す。図１０Ｂ及び１０Ｃの図中下側は、ジャックＪを下げるためのカムＣ４を示し、Ｃ５は、様々なフィードＧ１−Ｇ４及びそれぞれのセレクタに関連して、これらのジャックＪを上げるためのカムを示す。
【０１２０】
図１０Ａは、本体７の脚片３、５または中央部１５の形成中に、例えば反時計回りの連続運動で回転中の稼働状況を概略的に示している。ニードルシリンダ１０１の動きは、矢印Ｆによって表される。すべての針が作動しており、すべて同じ軌道ＴＡを追従している。図は、ニードルシリンダ１０１の内部から見た編成部材すなわちカムサポートを示している。
【０１２１】
図１０Ｂ及び１０Ｃは、往復運動で部分的な列を編成する際の針の動きを示す。特に、図１０Ｂは、ニードルシリンダ１０１の反時計回りで回転中の針の動作を示し、図１０Ｃは、ニードルシリンダ１０１の時計回りで回転中の針の動作を示している。Ｔ０は、選択されていない針つまり休止中の針のヒールの軌道を示し、ＴＴは、選択された針の軌道を示す。補助カムＣ３は作動中であり、補助カムＣ３がそれぞれ関連しているフィードから給糸されるそれぞれの糸を掴む前に、最大の高さ（Ｑ１で示された）から中間の高さ（Ｑ２で示された）まで各選択された針の部分的な降下をもたらす。例えば、図１０Ｂは、フィードＧ２の上流で補助カムＣ３によって始動され、高さＱ１から高さＱ２までの部分的な降下を示す。図１０Ｂの図中左側に示されるように、高さＱ２は、この高さで針がシンカーＰのステッチ形成面ＰＭの高さまでその独自のラッチＬで移動するようにされている。高さＱ２への各選択された針を降下することによって、糸がそれぞれのフィードから正確に掴まれることを保証し、糸が針のラッチのレベルの下に動くのを防ぐ。このリスクは、糸の軌道に起因して往復運動での編成中に発生する可能性がある。連続運動での編成中ではないので、そのために針を部分的に下げる中間の高さは提供されていない。
【０１２２】
図１０Ｃは、図１０Ｂで示すのと同じ基準及び同じ参照番号を使用して、往復運動で編成しながらニードルシリンダ１０１の時計回りの動作中に選択及び非選択（休止中）の針及びジャックの軌道を示している。
【０１２３】
特に図４、６Ａ−６Ｆを参照して、カムサポートの説明及び生地のポケットを編成する工程から明らかなように、往復運動で２つの生地ポケットを編成中にすべての針はアンロードされる、すなわち、そのステップの最中にポケットを形成する列の長さが増減する際に、形成された各ステッチは、それぞれの針からアンロードされ、結果として生地はどこからも保持されないステッチを有する。
【０１２４】
図示された実施形態では、本体は往復運動で編成された生地の２つのサイドポケットだけを備えて形成されているが、他の実施形態では、より多数のポケットが、例えば本体の両側に２つの生地ポケットを形成してもよい。
【０１２５】
上記工程では、製品または衣類が本体及び２つの脚片で生産され、それが丸編機から取り出される際にそれが完全に閉じられている、つまり、衣類を着用するための開口部なしに、また場合に応じて脚片の端部に対応する開口部だけを備えていると仮定する。衣服が一旦編機から取り出された後、線１３に沿って裁断され既知の方法に従って弾性縁１１を適用することにより、衣類を着用するためのウエスト部に対応する開口部が生成される。
【０１２６】
図１１及び図１２は、ニードルシリンダ１０１の円形の針床を用いて製品または衣類を編成しながら生産される製品または衣類を裁断するための切断装置を備えた丸編機のニードルシリンダ１０１の長手方向の部分断面図を示す。一般的に、２０１は裁断装置を示す。
【０１２７】
幾つかの実施形態では、裁断装置２０１は電気抵抗器２０３、つまりそれを通って流れる電流によるジュール効果によって加熱される要素を備えている。
【０１２８】
電気抵抗器２０３は、コネクタ２０５によって２本の電線に接続することができる。電線２０７はそれぞれ、接触ブラシ２０８と電気的な接触状態にある。針Ａのニードルシリンダ１０１と一体で回転する間に、これらの接触ブラシは電気抵抗器２０３に動力を供給する。
【０１２９】
電気抵抗器２０３及びコネクタ２０５は、ニードルシリンダの軸線Ａ−Ａを囲み、またニードルシリンダ１０１と共に回転する環状支持部材２０９によってサポートすることができる。支持部材２０９は、図１１及び１２にそれぞれ示された２つの位置を選択的にとるように、矢印Ｆ２０９に従って、垂直動作つまりニードルシリンダの軸Ａ−Ａと平行な動作を備えている。第一の位置（図１１）では、支持部材２０９及び電気抵抗器２０３は最も低い位置にある。電気抵抗器２０３は、ニードルシリンダ１０１の針Ａによって編成されるニット製品または衣類１から離される。この条件では、裁断装置２０１は形成される製品または衣類１に作用するものではない。
【０１３０】
図１２では、支持部材２０９及び裁断装置２０１は上位にあるかまたは持ち上げられた位置にある。電気抵抗器２０３は、編成された製品または衣類１に差し込まれる。電気抵抗器２０３によって局所的に生じた熱は、ニット製品を形成する糸を溶かして開口部をそこに生成する。開口部は、ステッチのカラムの方向つまりステッチの列に直角に伸びる。
【０１３１】
電気抵抗器２０３の上下動は、開口部が要求された位置に作られるよう編成工程と同期されている。
【０１３２】
幾つかの実施形態によれば、裁断装置２０１の動作は、一旦編成が停止された後、ニット製品に作用するようにすることができる。例えば、上記のように、はじめに本体の第一の部分を編成し、次に裁断装置２０１を作動することは可能である。編機が停止され、そして裁断装置２０１はニードルシリンダ上で保持された衣類に開口部分を裁断するために持ち上げられる。その後、裁断装置２０１は降ろされる、つまり、それは休止状態になることであり、編成は製品または衣類１に続く部分を形成するために再び開始される。その後、編機は再び停止され、切断工程が再び裁断装置を持ち上げることで繰り返される。十分な長さの開口部が作られるまで、その工程が繰り返される。このプロセスは時間を要するが、裁断装置２０１は、必ずしもニードルシリンダ１０１と同期した方法で回転する必要はない。
【０１３３】
好ましい実施形態によれば、編成工程を加速させるために、裁断装置２０１はニードルシリンダ１０１と一体で回転する。このように、裁断装置２０１は、持ち上げられ裁断（糸を融解すること）される本体の部分を編成するために、持ち上げられた作動中の位置で必要とされる時間の間、保持することができる。十分に長い開口部が作られると、裁断装置２０１が休止状態にされて下位の非作動位置にもたらされる一方で編成が続行される。
【０１３４】
図１１及び１２は、この最後の実施形態を示す。そこでは裁断装置２０１は、ニードルシリンダ１０１と同期して回転する。幾つかの実施形態では、支持部材２０９は、リング２１３に向かって下方に伸びる垂直な直立体２１１に取り付けられている。リング２１３は、ニードルシリンダ１０１と衣類１の回収ダクト２１４と一体でニードルシリンダ１０１の軸Ａ−Ａを中心に回転する。衣類を回収するための回収ダクト２１４の上位部は、ダクト２１４内部の製品または衣類１の回収を容易にするために漏斗形状とすることができる。
【０１３５】
リング２１３は、フォーク形状の末端部２１９Ａで終わっていてホイール２１７を担持する可動アーム２１９によって支持され得るローラーまたはホイール２１７を係合する環状チャネル２１５を備えることができる。幾つかの実施形態では、アーム２１９は、水平軸の周りで編機の固定構造体に関節式に連結することができる。アクチュエータ２２１は、二重矢印Ｆ２１９に従ってアーム２１９を振動させるために備えることができる。アーム２１９の振動は、直立体２１１によってリング２１３及び支持部材２０９の上下動を制御している。ホイール２１７は環状チャネル２１５に係合し、同じニードルシリンダの軸Ａ−Ａを中心にニードルシリンダ１０１と共に、直立体２１１、リング２１３及び支持部材２０９が回転するのを可能にする。このように、電気抵抗器２０３はニードルシリンダ１０１と共に回転することができ、図１１の位置から図１２の位置まで及びその逆も、矢印Ｆ２０９に従って垂直に移動することができる。
【０１３６】
他の実施形態では、異なる裁断装置が使用されてもよく、レーザー源を備えるものや電気抵抗器２０３に代わって機械的な切断装置を使用することもできる。幾つかの実施形態では、例えば、レーザー光を用いる場合切断装置を作動停止させるための垂直動作を省略してもよい。
【０１３７】
図１３、１４及び１５は、図４及び６Ｆに類似の方法で、生地ポケットの一部分及び関連したステッチの配置を変形例で示している。符号Ｆ１、Ｆ２、Ｆ３、Ｆ４は、４つのフィードの糸を示している。図４の中央部分と、図１４及び１５（図１３の部分ＸＩＶ及びＸＶの拡大図を示す）の拡大図との矢印は、それぞれのステッチの列の形成中の編成ニードルシリンダの運動方向を示している。示された典型的な実施形態では、４つのフィード及び対応する４本の糸が使用されている。それに代わって、異なる糸の数、好ましくは６本または８本の偶数の糸を使用することができる。符号Ｒｘ、Ｒｙ及びＲｚは、選択されたコースまたはステッチの列を示している。ステッチの各列は、その後続の針Ａにより、ニードルシリンダ１０１の同じ回転中に同一の糸で形成される。符号Ｃ１１、Ｃ１２、Ｃ１３、Ｃ１４、Ｃ１５及びＣ１６は、ステッチのカラムを示し、各カラムのステッチは、ニードルシリンダ１０１の同じ針Ａによって形成される。
【０１３８】
図１４及び１５のそれぞれの拡大図で特に見ることができるように、各往復ストロークの各端部で、ステッチの２列が他のステッチの２列に対してシフトされている。より具体的には、図１４では、糸Ｆ１及びＦ４によって形成されたステッチの列は、糸Ｆ２及びＦ４によって形成された２列のステッチに対し１ステッチ右にシフトされる。反転動作では、糸Ｆ２及びＦ４によって形成されたステッチの２列は、糸Ｆ１及びＦ３によって形成された２列のステッチに対して１ステッチ左にシフトされる。例えば、図１４の第一の部分的な列を参照すれば、糸Ｆ１及びＦ３は、カラムＣ１にターミナルステッチを形成する。逆に、糸Ｆ２とＦ４は、隣接するカラムＣ１２にターミナルステッチを形成する。糸Ｆ２とＦ４は、隣接するカラムＣ１５でステッチの形成を終了する一方で、もう一方の端部で（図１５）糸Ｆ１及びＦ３がカラムＣ１４にそれぞれのターミナルステッチを伴ってステッチの形成を終了する。
【０１３９】
従って、例えば図４に示された上記実施形態と同様に、同一の往復ストロークで異なる糸によって形成されたステッチの列がシフトされる。しかし、図４とは異なって、すべての列が他の列に対してシフトされるとは限らないが、これらは対になっており、すなわち、糸Ｆ１及びＦ３によって形成された列は、両方の列のターミナルステッチまたはエンドステッチが同じステッチのカラム、例えばカラムＣ１１に配置されるように互いに整列されている。図１４を参照。糸Ｆ２及びＦ４によって形成された列も同様に、例えばカラム１２に沿って互いに整列されている。図１４を参照。しかし、糸Ｆ１及びＦ３によって形成された列は、糸Ｆ２、Ｆ４によって形成された列に対して（図１３、１４、１５に示された実施形態の１ステッチを）シフトされる。１ステッチをシフトすることは一例であって、糸Ｆ１、Ｆ３によって形成されたステッチの列は、糸Ｆ２、Ｆ４によって形成された列に対して１ステッチ（つまり１カラム）以上でシフトできることが理解される。
【０１４０】
さらに、図１３、１４、１５に示された実施形態では、ステッチの各列の長さは、前述の例とは逆に、列の両端ではなくむしろ一端のみで減少する。これは、例えば図１４及び１５を見ることによって最も理解され得る。
【０１４１】
ここでは、糸Ｆ３を例に取り上げてみるが、同じことは残る糸Ｆ１、Ｆ２、Ｆ４にも当てはまる。図１５では、糸Ｆ３で形成されたステッチの列Ｒｘは、ステッチのカラムＣ１４を生成する針で形成されたターミナルステッチを備えている。つまり、列Ｒｘは、カラムＣ１４に第一のターミナルステッチを有する。同じ列Ｒｘは、カラムＣ１１に第二のターミナルステッチを有する。図１４を参照。このように、列Ｒｘは、カラムＣ１１からカラムＣ１４までをまたがる長さを持っている。
【０１４２】
ニードルシリンダ回転の反転時に、同じ糸Ｆ３は、次の列の形成またはステッチＲｙのコースで開始する。列Ｒｙの左の端部の第一のステッチ（図１５）は、同じステッチカラムＣ１４で形成される。しかし、列Ｒｙは反対側のカラムＣ１３で終了する、つまり先に形成された列Ｒｘより短い。図１３、１４及び１５に示された実施形態では、列Ｒｘ、Ｒｙ（つまりニードルシリンダ１０１の往復回転運動の反転時に同じ糸によって形成された２つの後続列）は、５ステッチに等しい長さで差異を有し、つまり、カラムＣ１１及びカラムＣ１３は５ステッチだけ離されている。他の実施形態では、この長さの差は、５ステッチより大きくも小さくもできる。重要なのは、各糸がステッチのコースを生成することであり、その長さは回転運動の二度の反転の度に減少する。言いかえれば、各糸は、運動の反転時に形成されたステッチの数を列の対向端部ではなく一端のみで減らす。実際、同じ糸Ｆ３を再び例に取り上げると、運動の反転時に、次の列Ｒｚは、カラムＣ１３（つまり列Ｒｙが終了するのと同じカラム）で開始するが、カラムＣ１６まで伸びることになり、つまり列Ｒｚは列Ｒｙより５ステッチ短い。
【０１４３】
上述の実施形態及び図面は、本発明の実施形態の一実施例として詳細に説明されてきた。添付の特許請求の範囲で定義されるように、本発明の教示及び概念の範囲及び原理から逸脱することなく、修正、変更、追加及び省略が可能であることは、当業者には明白である。従って、本発明の範囲は添付の請求項の中で最も広い解釈に基づいて排他的に決定されるものであって、これらの修正、変更、追加及び省略はこの範囲内に含まれる。用語「備える」「備えるために」などは、請求項に記載されたものに加えて、さらなる要素またはステップの存在を除外するものではない。請求項の要素、手段、特徴の前置詞として、用語「１つの」とは、これらの複数の要素、手段または特徴の存在を除外するものではない。装置クレ−ムが複数の「手段」を主張した場合、一部またはすべてのこれらの「手段」は、単一の構成要素、部材、または構造により作動させることができる。明らかな従属項における所定の要素、特徴または手段の宣言は、前記要素、特徴または手段を一体で組み合わせる可能性を除外するものではない。方法クレームがステップのシーケンスを記載する場合、これらのステップが記載されるシーケンスは拘束するものではなく、特定のシーケンスが拘束するものとして示されていない場合は変更することができる。添付の特許請求の範囲における任意の参照符号は、説明及び図面を参照しながら、特許請求の範囲の読み取りを容易にするために提供され、そして特許請求の範囲で表される保護の範囲を限定するものではない。
【符号の説明】
【０１４４】
１    製品または衣類
３    第一の筒状脚片
５    第二の筒状脚片
７    本体
９    開口部
１１    エッジ
１３    開口部
１５    中央部
１７    サイドポケット
１７Ｃ    ポケットの一部
１７Ｄ    ポケットの一部
１９    サイドポケット
１９Ｃ    ポケットの一部
１９Ｄ    ポケットの一部
２３    完成列
２５    第一の完成列
２５Ｘ    完成列のシーケンス
２７    最後の完成列
２９    完成列
１０１    ニードルシリンダ
１０３    カム
１０５    セレクタ、ダイヤル
２０１    裁断装置
２０３    電気抵抗器
２０５    コネクタ
２０７    配線
２０９    支持要素
２１１    垂直な直立体
２１３    リング
２１４    回収ダクト
２１５    環状チャネル
２１７    ホイール
２１９    可動アーム
２２１    アクチュエータ
Ａ        針
Ａ−Ａ    軸
Ｃ１      ポイント
Ｃ２      ポイント
ＣＣ      カラム
ＣＧ３    拡張部
ＣＧ５    線
Ｆ        針床の回転方向を示す矢印
Ｆ１−Ｆ４      編糸
Ｇ１−Ｇ４      糸ガイド
Ｊ        ジャック
Ｊ１      ジャックの上位ヒール
Ｊ２      ジャックの下位ヒール
Ｌ１７    線
Ｌ１９    線
Ｐ        シンカー
ＰＭ      ステッチ形成面
Ｑ１      最大の高さ
Ｑ２      中間の高さ
Ｒ１７    ステッチの列
Ｒ１９    ステッチの列
ＲＦ１−ＲＦ４、ＲＦ１’−ＲＦ４’  部分的な列
ＲＧ３    最後の円形の完成列
ＲＧ５    列
ＲＭ１７  最小の長さの列
ＲＭ１９  最小の長さの列
Ｒｘ１７  部分的な列の第一のグループ
Ｒｙ１７  部分的な列の最後のグループ
Ｒｘ１９  部分的な列の第一のグループ
Ｒｙ１９  部分的な列の最後のグループ
ＲＧ３    列
ＲｘＦ１−ＲｘＦ４    部分的な列
Ｓ１Ａ−Ｓ４Ａ      反時計回りのセレクタ
Ｓ１Ｏ−Ｓ４Ｏ      時計回りのセレクタ
Ｔ        ヒール
ＴＡ      フックの軌道
ＴＴ      ヒールの軌道
ＴＪ１    ヒールＪ１の動作軌道
ＴＪ２    ヒールＪ２の動作軌道
Ｃ１−Ｃ５    図１０Ａ−Ｃにおけるカム
Ｃ１１−Ｃ１６      ステッチのカラム
【図１】
2016540132.tif 000003
【図２】
2016540132.tif 000004
【図３】
2016540132.tif 000005
【図４】
2016540132.tif 000006
【図５Ａ】
2016540132.tif 000007
【図５Ｂ】
2016540132.tif 000008
【図５Ｃ】
2016540132.tif 000009
【図５Ｄ】
2016540132.tif 000010
【図５Ｅ】
2016540132.tif 000011
【図５Ｆ】
2016540132.tif 000012
【図５Ｇ】
2016540132.tif 000013
【図５Ｈ】
2016540132.tif 000014
【図５Ｉ】
2016540132.tif 000015
【図５Ｊ】
2016540132.tif 000016
【図５Ｋ】
2016540132.tif 000017
【図５Ｌ】
2016540132.tif 000018
【図５Ｍ】
2016540132.tif 000019
【図６Ａ】
2016540132.tif 000020
【図６Ｂ】
2016540132.tif 000021
【図６Ｃ】
2016540132.tif 000022
【図６Ｄ】
2016540132.tif 000023
【図６Ｅ】
2016540132.tif 000024
【図６Ｆ】
2016540132.tif 000025
【図７】
2016540132.tif 000026
【図８】
2016540132.tif 000027
【図９】
2016540132.tif 000028
【図１０Ａ】
2016540132.tif 000029
【図１０Ｂ】
2016540132.tif 000030
【図１０Ｃ】
2016540132.tif 000031
【図１１】
2016540132.tif 000032
【図１２】
2016540132.tif 000033
【図１３】
2016540132.tif 000034
【図１４−１５】
2016540132.tif 000035
【手続補正書】
【提出日】平成27年7月29日(2015.7.29)
【手続補正１】
【補正対象書類名】特許請求の範囲
【補正対象項目名】全文
【補正方法】変更
【補正の内容】
【特許請求の範囲】
【請求項１】
少なくとも１つの円形の針床を備えた丸編機で２つの脚片及び本体を備えたニット製品を生産するための方法において、
−  複数のフィードによって第一の脚片を連続運動で編成するステップ、
−  第一の脚片の端列から開始して、複数のフィードによって往復運動で第一の生地ポケットを編成し、前記第一の生地ポケットが第一の本体サイド部を形成するステップ、
−  本体の中央部から開始して第二の脚片の開始列に至るまで、複数のフィードによって往復運動で第二の生地ポケットを編成し、前記第二のポケットが第二の本体サイド部を形成するステップ、及び、
−  複数のフィードによって第二の脚片を連続運動で編成するステップ、
を備え、
前記第一の生地ポケットを編成するステップが、
−  第一の脚片から開始して、徐々に動作針の数を減らし、よって徐々に長さを減少させながら部分的な列を形成し、最小の長さの部分的な列のグループに至るまで、往復運動で部分的な列の第一のシーケンスを編成するステップ、及び、
−  最小の長さの部分的な列のグループから開始して、徐々に動作針の数を増やし、よって徐々に長さを増やしながら部分的な列を形成し、往復運動で部分的な列の第二のシーケンスを編成するステップを備え、
前記第二の生地ポケットを編成するステップが、
−  本体中央部から開始して、徐々に動作針の数を減らして、よって徐々に長さを減らしながら部分的な列を形成し、部分的な列の最小の長さの集団に至るまで、往復運動で部分的な列の第三のシーケンスを編成するステップ、及び
−  部分的な列の最小の長さの集団から開始して、徐々に動作針の数を増やし、よって徐々に長さを増やしながら部分的な列を形成し、往復運動で部分的な列の第四のシーケンスを編成するステップを備え、
往復運動で編成するステップ中、円形の針床が一方向で回転する度にまた円形の針床が反対方向で回転する度に、複数の列をフィードの数に対応する数で形成し、且つ、
往復運動で第一及び第二の生地ポケットを編成するステップ中、針を制御することによって、徐々に増減する長さを備えた列を形成し、全ての作動針をアンロードする、
ことを特徴とする方法。
【請求項２】
上記方法において、さらに、
−  円形の針床の周囲に複数のフィードを配置するステップ、 
−  円形の針床が時計回りに回転している間に針を選択するために操作された第一のセレクタを各フィードに関連付け、且つ、円形の針床が反時計回りに回転している間に針を選択するために操作される第二のセレクタを各フィードに関連付けるステップ、及び、
−  第一及び第二の生地ポケットを往復運動で編みながら、円形の針床の回転方向に応じて、第一のセレクタまたは第二のセレクタを選択的に始動させるステップ
を備え、
前記各フィードが、それぞれの糸を円形の針床に給糸するためのフィード、針を持上げるためのカム、及び針を降下させるためのカムを備えていることを特徴とする請求項１に記載の方法。
【請求項３】
針を部分的に下降させるための補助カムを各フィードに関連付けるステップを含み、かかるステップが、第一及び第二の生地ポケットを往復運動で編成する間、補助カムが作動中である一方で、連続動作で編成する間は非作動状態であることを特徴とする請求項２に記載の方法。
【請求項４】
前記針が、ジャックの選択に作用するセレクタを用いることによって選択され、１つのジャックの選択が針のそれぞれに関連付けられていることを特徴とする請求項２または３に記載の方法。
【請求項５】
第一の生地ポケットが往復運動で編成された後、第二の生地ポケットが往復運動で編成される前に、２つのポケットの間にある本体の中央部が複数のフィードで連続運動で編成され形成されることを特徴とする請求項１から４の何れか一項に記載の方法。
【請求項６】
第一の生地ポケット、第二の生地ポケット、第一の脚片、第二の脚片、そして本体の中央部が、同じ数のフィードで編成されることを特徴とする請求項５に記載の方法。
【請求項７】
第一の生地ポケット、第二の生地ポケット、本体の中央部、第一の脚片、そして第二の脚片が、偶数のフィードで編成されることを特徴とする請求項５または６に記載の方法。
【請求項８】
第一の生地ポケット、第二の生地ポケット、本体の中央部、第一の脚片、そして第二の脚片が、少なくとも２つのフィードによって、また好ましくは少なくとも４つのフィードによって編成されることを特徴とする請求項５、６または７に記載の方法。
【請求項９】
少なくとも１本のＺ撚糸および少なくとも１本のＳ撚糸が、第一の生地ポケット、第二の生地ポケット、第一の脚片、第二の脚片、そして本体の中央部を形成するために使用されることを特徴とする請求項８に記載の方法。
【請求項１０】
本体の中央部が、複数のステッチの完成列を備える筒状構造を有することを特徴とする請求項５から９の何れか一項に記載の方法。
【請求項１１】
連続運動で本体の中央部を編成するステップを、円形の針床全体を使用して実行し、
生地の筒部を編成する一方で、第一及び第二の生地ポケットを編成するステップを、円形の針床の作動している弧上の減数した針を使用して実行し、
補完的な弧の針は休止状態のままにすることを特徴とする請求項５から１０の何れか一項に記載の方法。
【請求項１２】
往復運動中すべてのフィードの糸が、針床の一方向または反対方向の回転で同じ数のステッチを形成しているので、第一及び第二の生地ポケットの形成中の各往復動回転で、部分的な列が、同じ長さで且つ円形の針床の往復ストロークの各々の間のフィードの数に等しい数で形成されることを特徴とする請求項１から１１の何れか一項に記載の方法。
【請求項１３】
部分的な列の第一のシーケンス及び／又は部分的な列の第三のシーケンスの編成中、列の長さを列の両端で逓減することを特徴とする請求項１２に記載の方法。
【請求項１４】
部分的な列の第二のシーケンス及び／又は部分的な列の第四のシーケンスの編成中、列の長さを列の両端で漸増することを特徴とする請求項１２または１３に記載の方法。
【請求項１５】
往復運動で第一及び第二の生地ポケットの形成中、一方向の針床の回転で形成される複数の部分的な列及び反対方向の針床の回転で形成される後続の複数の部分的な列が、ステッチの数で相互にシフトされることを特徴とする請求項１から１４の何れか一項に記載の方法。
【請求項１６】
上記部分的な列が、２から１５の間に含まれるステッチの数で、好ましくは３から１０の間で、より好ましくは３から７の間のステッチの数で、相互に対してシフトされることを特徴とする請求項１５に記載の方法。
【請求項１７】
本体の編成中に本体に１つの開口部を生成するステップをさらに備えていることを特徴とする請求項１から１６の何れか一項に記載の方法。
【請求項１８】
本体の開口部が、開口線に沿って本体のステッチを形成する糸を溶融する加熱要素によって形成されることを特徴とする請求項１７に記載の方法。
【請求項１９】
脚片の端部を閉じるステップを備えることを特徴とする請求項１から１８の何れか一項に記載の方法。
【請求項２０】
第一及び第二の生地ポケットを編成中、非連続的な列のうちの少なくとも一対のターミナルステッチが、ステッチの１つのカラムに配置され、非連続的な列のうちの少なくとも別の一対のターミナルステッチが配置されるステッチの１つのカラムに対してシフトされるように、対の糸のそれぞれで形成された対の列が相互に対してシフトされることを特徴とする請求項１から１９の何れか一項に記載の方法。
【請求項２１】
１つの本体及び２つの筒状の脚片を備えるニット製品において、
本体が編地の２つのサイドポケットを備え、各ポケットが２つの筒状の脚片を形成する編地の拡張を構成する部分的な列の第一のシリーズで形成され、前記部分的な列の第一のシリーズの列がそれぞれの脚片から開始してそれぞれのポケットの最小の長さの部分的な列のグループまで長さを減らし、且つ部分的な列の第二のシリーズで最小の長さの部分的な列のグループのそれぞれから開始して完成列のそれぞれまで長さを増やし、前記生地ポケットが往復運動による複数のフィードで形成され、
そこで、本体の生地ポケットを形成するすべてのステッチがクリヤされたステッチであることを特徴とする衣類。
【請求項２２】
本体がさらに２つの生地ポケットの間に、連続運動による複数のフィードで形成される中央部を備えることを特徴とする請求項２１に記載の衣類。
【請求項２３】
生地の各ポケットが、少なくとも２つのフィードで、好ましくは少なくとも４つのフィードで形成されることを特徴とする請求項２１または２２に記載の衣類。
【請求項２４】
２つの脚片が、連続運動による複数のフィードで形成される筒状の生地を備えることを特徴とする請求項２１、２２または２３に記載の衣類。
【請求項２５】
生地のポケット、脚片、そして本体の中央部がすべて等しいフィードの数で形成されることを特徴とする請求項２１から２４の何れか一項に記載の衣類。
【請求項２６】
複数のフィードで形成され且つ各往復編成動作に対応する部分的な列が、相互対してシフトされるので、結果として、部分列の両端が２から１５の間に含まれるステッチの数で、好ましくは３から１０の間で、より好ましくは３から７の間で、相互に離間されることを特徴とする請求項２１から２５の何れか一項に記載の衣類。
【請求項２７】
部分的な列が、部分的な列のグループに細分化され、それぞれが編成に使用されるフィードの数に等しい列数を構成し、そこで、部分的な列の各グループの部分的な列が、同じ長さすなわち同じ数のステッチを有することを特徴とする請求項２１から２６の何れか一項に記載の衣類。
【請求項２８】
Ｓ撚糸及びＺ撚糸で形成された列を備えることを特徴とする請求項２１から２７の何れか一項に記載の衣類。
【請求項２９】
円形の針床を備えたシリンダ、カムマントル、セレクタ、複数のフィード及び制御装置を備える編機において、前記制御装置が、請求項１から２０の何れか一項に記載の編成方法を実現するプログラムを実行することを特徴とする編機。
【請求項３０】
編機が、
−  円形の針床を備えたシリンダと、
−  円形の針床を周囲する複数のフィードとを備え、各フィードが円形の針床にそれぞれの糸を給糸する供給部、針を持上げるカム、及び針を降下させるカムを有し、
−  さらに、前記編機が各フィードに関連付けられ、シリンダが時計回りに回転する間、円形の針床の針を選択するよう構成されまた制御された第一のセレクタと、シリンダが反時計回りに回転する間、円形の針床の針を選択するよう構成されまた制御された第二のセレクタとを備える、ことを特徴とする編機。
【請求項３１】
補助カムが、針を降下させるために各フィードに関連付けされ、シリンダの往復運動中に作動するよう構成されまた制御されることを特徴とする請求項３０に記載の編機。
【請求項３２】
針床の各針が、一本の選択されたジャックに関連付けられ、前記第一及び第二のセレクタがジャックに選択的に作用することを特徴とする請求項３０または３１に記載の編機。
【国際調査報告】
2016540132.tif 000036
2016540132.tif 000037
2016540132.tif 000038
2016540132.tif 000039
2016540132.tif 000040